(57)【要約】【課題】  調湿装置の調湿用部材におけるカビの生育を抑制し、調湿用部材の寿命を延ばして調湿装置のランニングコストを低減する。【解決手段】  調湿装置のケーシング（10）には、２つの吸着素子（81,82）が調湿用部材として収納される。調湿装置は、２つの吸着素子（81,82）を交互に用いて室内へ供給する空気の除湿又は加湿を行う。調湿装置は、運転を停止する前に予め乾燥動作を行う。乾燥動作中は、再生用熱交換器（72）で加熱した空気を吸着素子（81,82）へ供給し、吸着素子（81,82）から水分を脱離させる。この乾燥動作を行うことで吸着素子（81,82）を乾燥させ、停止中における吸着素子（81,82）でのカビの生育を抑制する。【選択図】  図７
2005188915.tif 000002
【特許請求の範囲】
【請求項１】
通過する空気に対する水分の付与が可能な調湿用部材（81,…）が設けられ、該調湿用部材（81,…）を通過する際に調湿された空気を室内へ供給する調湿装置であって、
運転を停止する際には、上記調湿用部材（81,…）を乾燥させるために該調湿用部材（81,…）へ空気を供給する乾燥動作を行ってから停止するように構成されている調湿装置。
【請求項２】
請求項１に記載の調湿装置において、
室内へ供給される室外空気と室外へ排出される室内空気との間で熱及び水分を交換させる全熱交換器（220）が調湿用部材として設けられて室内の換気を行う一方、
室外空気と室内空気のうち湿度の低い方だけを上記全熱交換器（220）へ供給する動作を乾燥動作として行う調湿装置。
【請求項３】
請求項１に記載の調湿装置において、
通過する空気を吸着剤と接触させる吸着素子（81,82,120）が調湿用部材として設けられており、
上記吸着素子（81,82,120）へ向かう空気を加熱する加熱器（72,121,122）を備え、空気中の水分を吸着素子（81,82,120）に吸着させる吸着動作と、上記加熱器（72,121,122）で加熱された空気で吸着素子（81,82,120）を再生する再生動作とを行い、上記吸着素子（81,82,120）で除湿された空気又は上記吸着素子（81,82,120）で加湿された空気を室内へ供給する一方、
上記加熱器（72,121,122）で加熱された空気だけを吸着素子（81,82,120）へ供給して該吸着素子（81,82,120）から水分を脱離させる動作を乾燥動作として行う調湿装置。
【請求項４】
請求項１に記載の調湿装置において、
吸着剤を担持して通過する空気を該吸着剤と接触させる吸着熱交換器（341,342）が調湿用部材として設けられる一方、
上記吸着熱交換器（341,342）が接続されると共に冷媒を循環させて冷凍サイクルを行う冷媒回路（350）を備え、
上記吸着熱交換器（341,342）において空気を調湿するために、上記冷媒回路（350）の冷媒によって吸着熱交換器（341,342）の吸着剤の加熱と冷却の少なくとも一方を行う調湿装置。
【請求項５】
請求項４に記載の調湿装置において、
乾燥動作中には、冷媒回路（350）における冷媒の循環を停止させた状態で吸着熱交換器（341,342）へ空気を供給する調湿装置。
【請求項６】
請求項４に記載の調湿装置において、
冷媒回路（350）は、第１の吸着熱交換器（341）が凝縮器となって第２の吸着熱交換器（342）が蒸発器となる状態と、第２の吸着熱交換器（342）が凝縮器となって第１の吸着熱交換器（341）が蒸発器となる状態とが切り換わるように冷媒循環方向を反転可能に構成され、
蒸発器となっている方の吸着熱交換器（341,342）に空気中の水蒸気を吸着させる動作と、凝縮器となっている方の吸着熱交換器（341,342）から水蒸気を脱離させる動作とを行って空気を調湿する一方、
乾燥動作中には、
該乾燥動作を開始する際に上記冷媒回路（350）での冷媒循環方向を反転させると共に、冷凍サイクルにおける冷媒蒸発温度を乾燥動作の開始前よりも高く設定して冷媒回路（350）での冷媒循環を継続させる前段動作と、
冷媒回路（350）における冷媒の循環を停止させて前段動作中に蒸発器となっていた方の吸着熱交換器（341,342）だけに空気を供給する後段動作とが順に行われる調湿装置。
【請求項７】
請求項４に記載の調湿装置において、
冷媒回路（350）は、空気と冷媒を熱交換させる空気熱交換器（360）を備えると共に、第１の吸着熱交換器（341）が凝縮器となって第２の吸着熱交換器（342）が蒸発器となる状態と、第２の吸着熱交換器（342）が凝縮器となって第１の吸着熱交換器（341）が蒸発器となる状態とが切換可能に構成され、
蒸発器となっている方の吸着熱交換器（341,342）に空気中の水蒸気を吸着させる動作と、凝縮器となっている方の吸着熱交換器（341,342）から水蒸気を脱離させる動作とを行って空気を調湿する一方、
乾燥動作中には、該乾燥動作の開始直前に蒸発器となっていた吸着熱交換器（341,342）が凝縮器に切り換わって空気熱交換器（360）が蒸発器となるように冷媒回路（350）での冷媒の流通経路を設定し、凝縮器に切り換わった吸着熱交換器（341,342）を通過した空気を空気熱交換器（360）へ供給し、乾燥動作の開始直前に凝縮器となっていた吸着熱交換器（341,342）に対する空気の供給を停止する調湿装置。
【請求項８】
請求項１に記載の調湿装置において、
調湿用部材（81,…）に含まれる水分を増大させるために該調湿用部材（81,…）へ空気を供給する予備動作を乾燥動作の開始前に行う調湿装置。
【請求項９】
請求項１に記載の調湿装置において、
運転を停止した状態の継続時間を計測するタイマー手段（131）と、
上記タイマー手段（131）で計測された継続時間が基準時間に達する毎に乾燥動作を行う制御手段（132）と
が設けられている調湿装置。
【請求項１０】
請求項１に記載の調湿装置において、
調湿用部材（81,…）における空気の湿度を検出する湿度検出手段（91,92）と、
上記湿度検出手段（91,92）の検出値に応じて乾燥動作の継続時間を調節する制御手段（96）と
が設けられている調湿装置。
【請求項１１】
請求項１に記載の調湿装置において、
調湿用部材（81,…）が内部に収納されると共に該調湿用部材（81,…）に連通する空気流路（65,66,…）が内部に形成されたケーシング（10,…）を備える一方、
上記ケーシング（10,…）内には、停止中に該ケーシング（10,…）の外部から上記空気流路（65,66,…）を通って調湿用部材（81,…）へ向かう空気の流れを阻止するための遮断機構（21,…,31,…）が設けられている調湿装置。
【請求項１２】
請求項１１に記載の調湿装置において、
ケーシング（10,…）内には、室内に連通する室内側の空気流路（67,68,…）と室外に連通する室外側の空気流路（65,66,…）とが形成される一方、
遮断機構（21,…,31,…）は、室外側の空気流路（65,66,…）を通って調湿用部材（81,…）へ向かう空気の流れを少なくとも阻止可能に構成されている調湿装置。
【請求項１３】
請求項１２に記載の調湿装置において、
遮断機構（21,…,31,…）は、室外側の空気流路（65,66,…）を通って調湿用部材（81,…）へ向かう空気の流れと、室内側の空気流路（67,68,…）を通って調湿用部材（81,…）へ向かう空気の流れとの両方を阻止可能に構成されている調湿装置。
【発明の詳細な説明】
【技術分野】
【０００１】
本発明は、取り込んだ空気を調湿して室内へ供給する調湿装置に関するものである。
【背景技術】
【０００２】
従来より、調湿用部材を用いて取り込んだ空気の湿度を調節し、調湿後の空気を室内へ供給する調湿装置が知られている。
【０００３】
例えば、特許文献１には、吸着剤を空気と接触させるための吸着素子を調湿用部材として備える調湿装置が開示されている。この調湿装置は、２つの吸着素子を交互に用いて空気の除湿や加湿を行う。具体的に、この調湿装置は、ケーシング内における空気の流通経路を変更することで、２つの吸着素子の一方に空気中の水分を吸着させて他方を再生する動作と、他方に空気中の水分を吸着させて一方を再生する動作とを交互に行う。そして、この調湿装置は、取り込んだ室外空気を吸着素子で除湿してから室内へ供給する運転と、取り込んだ室外空気を吸着素子で加湿してから室内へ供給する運転とが切換可能に構成されている。
【０００４】
また、特許文献２には、全熱交換器を調湿用部材として備える調湿装置が開示されている。この調湿装置の全熱交換器では、室内へ供給される室外空気と室外へ排出される室内空気との間で熱と水分の交換が行われる。例えば、室外空気が乾燥している冬季の暖房中には、室外へ排出される室内空気の熱と水分が全熱交換器で室外空気に付与され、暖められて加湿された室外空気が室内へ供給される。また、室外空気が水分を多く含んでいる夏季の冷房中には、室外空気の熱と水分が全熱交換器で室内空気によって奪われ、冷やされて減湿された室外空気が室内へ供給される。
【特許文献１】特開２００３−２３２５４０号公報
【特許文献２】特開平５−１８０４８４号公報
【発明の開示】
【発明が解決しようとする課題】
【０００５】
上述の調湿装置において、調湿用部材は、通過する空気に水分を付与する動作を行う。つまり、調湿装置の運転中には、調湿用部材に比較的多くの水分が保持されることになる。そして、調湿用部材に多くの水分が保持されたまま調湿装置を停止すると、吸着用部材の周辺は、かなり湿度が高くなってカビの生育に適した状態となってしまう。このため、従来の調湿装置では、停止中に調湿用部材でカビが発生し、それによって調湿用部材の寿命が短くなるという問題があった。
【０００６】
本発明は、かかる点に鑑みてなされたものであり、その目的とするところは、調湿装置に設けられた調湿用部材の寿命を延ばし、調湿装置のランニングコストを低減することにある。
【課題を解決するための手段】
【０００７】
第１の発明は、通過する空気に対する水分の付与が可能な調湿用部材（81,…）が設けられ、該調湿用部材（81,…）を通過する際に調湿された空気を室内へ供給する調湿装置を対象とし、運転を停止する際には、上記調湿用部材（81,…）を乾燥させるために該調湿用部材（81,…）へ空気を供給する乾燥動作を行ってから停止するように構成されるものである。
【０００８】
第２の発明は、上記第１の発明において、室内へ供給される室外空気と室外へ排出される室内空気との間で熱及び水分を交換させる全熱交換器（220）が調湿用部材として設けられて室内の換気を行う一方、室外空気と室内空気のうち湿度の低い方だけを上記全熱交換器（220）へ供給する動作を乾燥動作として行うものである。
【０００９】
第３の発明は、上記第１の発明において、通過する空気を吸着剤と接触させる吸着素子（81,82,120）が調湿用部材として設けられており、上記吸着素子（81,82,120）へ向かう空気を加熱する加熱器（72,121,122）を備え、空気中の水分を吸着素子（81,82,120）に吸着させる吸着動作と、上記加熱器（72,121,122）で加熱された空気で吸着素子（81,82,120）を再生する再生動作とを行い、上記吸着素子（81,82,120）で除湿された空気又は上記吸着素子（81,82,120）で加湿された空気を室内へ供給する一方、上記加熱器（72,121,122）で加熱された空気だけを吸着素子（81,82,120）へ供給して該吸着素子（81,82,120）から水分を脱離させる動作を乾燥動作として行うものである。
【００１０】
第４の発明は、上記第１の発明において、吸着剤を担持して通過する空気を該吸着剤と接触させる吸着熱交換器（341,342）が調湿用部材として設けられる一方、上記吸着熱交換器（341,342）が接続されると共に冷媒を循環させて冷凍サイクルを行う冷媒回路（350）を備え、上記吸着熱交換器（341,342）において空気を調湿するために、上記冷媒回路（350）の冷媒によって吸着熱交換器（341,342）の吸着剤の加熱と冷却の少なくとも一方を行うものである。
【００１１】
第５の発明は、上記第４の発明において、乾燥動作中には、冷媒回路（350）における冷媒の循環を停止させた状態で吸着熱交換器（341,342）へ空気を供給するものである。
【００１２】
第６の発明は、上記第４の発明において、冷媒回路（350）は、第１の吸着熱交換器（341）が凝縮器となって第２の吸着熱交換器（342）が蒸発器となる状態と、第２の吸着熱交換器（342）が凝縮器となって第１の吸着熱交換器（341）が蒸発器となる状態とが切り換わるように冷媒循環方向を反転可能に構成され、蒸発器となっている方の吸着熱交換器（341,342）に空気中の水蒸気を吸着させる動作と、凝縮器となっている方の吸着熱交換器（341,342）から水蒸気を脱離させる動作とを行って空気を調湿する一方、乾燥動作中には、該乾燥動作を開始する際に上記冷媒回路（350）での冷媒循環方向を反転させると共に、冷凍サイクルにおける冷媒蒸発温度を乾燥動作の開始前よりも高く設定して冷媒回路（350）での冷媒循環を継続させる前段動作と、冷媒回路（350）における冷媒の循環を停止させて前段動作中に蒸発器となっていた方の吸着熱交換器（341,342）だけに空気を供給する後段動作とが順に行われるものである。
【００１３】
第７の発明は、上記第４の発明において、冷媒回路（350）は、空気と冷媒を熱交換させる空気熱交換器（360）を備えると共に、第１の吸着熱交換器（341）が凝縮器となって第２の吸着熱交換器（342）が蒸発器となる状態と、第２の吸着熱交換器（342）が凝縮器となって第１の吸着熱交換器（341）が蒸発器となる状態とが切換可能に構成され、蒸発器となっている方の吸着熱交換器（341,342）に空気中の水蒸気を吸着させる動作と、凝縮器となっている方の吸着熱交換器（341,342）から水蒸気を脱離させる動作とを行って空気を調湿する一方、乾燥動作中には、該乾燥動作の開始直前に蒸発器となっていた吸着熱交換器（341,342）が凝縮器に切り換わって空気熱交換器（360）が蒸発器となるように冷媒回路（350）での冷媒の流通経路を設定し、凝縮器に切り換わった吸着熱交換器（341,342）を通過した空気を空気熱交換器（360）へ供給し、乾燥動作の開始直前に凝縮器となっていた吸着熱交換器（341,342）に対する空気の供給を停止するものである。
【００１４】
第８の発明は、上記第１の発明において、調湿用部材（81,…）に含まれる水分を増大させるために該調湿用部材（81,…）へ空気を供給する予備動作を乾燥動作の開始前に行うものである。
【００１５】
第９の発明は、上記第１の発明において、運転を停止した状態の継続時間を計測するタイマー手段（131）と、上記タイマー手段（131）で計測された継続時間が基準時間に達する毎に乾燥動作を行う制御手段（132）とが設けられるものである。
【００１６】
第１０の発明は、上記第１の発明において、調湿用部材（81,…）における空気の湿度を検出する湿度検出手段（91,92）と、上記湿度検出手段（91,92）の検出値に応じて乾燥動作の継続時間を調節する制御手段（96）とが設けられるものである。
【００１７】
第１１の発明は、上記第１の発明において、調湿用部材（81,…）が内部に収納されると共に該調湿用部材（81,…）に連通する空気流路（65,66,…）が内部に形成されたケーシング（10,…）を備える一方、上記ケーシング（10,…）内には、停止中に該ケーシング（10,…）の外部から上記空気流路（65,66,…）を通って調湿用部材（81,…）へ向かう空気の流れを阻止するための遮断機構（21,…,31,…）が設けられるものである。
【００１８】
第１２の発明は、上記第１１の発明において、ケーシング（10,…）内には、室内に連通する室内側の空気流路（67,68,…）と室外に連通する室外側の空気流路（65,66,…）とが形成される一方、遮断機構（21,…,31,…）は、室外側の空気流路（65,66,…）を通って調湿用部材（81,…）へ向かう空気の流れを少なくとも阻止可能に構成されるものである。
【００１９】
第１３の発明は、上記第１２の発明において、遮断機構（21,…,31,…）は、室外側の空気流路（65,66,…）を通って調湿用部材（81,…）へ向かう空気の流れと、室内側の空気流路（67,68,…）を通って調湿用部材（81,…）へ向かう空気の流れとの両方を阻止可能に構成されるものである。
【００２０】
−作用−
上記第１の発明では、調湿装置に調湿用部材（81,…）が設けられる。調湿用部材（81,…）は、該調湿用部材（81,…）を通過する空気に対して水分を付与することができるように構成されている。調湿装置へ取り込まれた空気は、調湿用部材（81,…）を通過する間に、その湿度が調節される。つまり、調湿用部材（81,…）では、そこを通過する空気に含まれる水分量が調節される。調湿装置は、調湿用部材（81,…）を通過する間に調湿された空気を室内へ供給する。
【００２１】
上述のように、この発明の調湿用部材（81,…）は、空気に対する水分の付与が可能となっている。このため、調湿装置の運転中には、調湿用部材（81,…）が比較的多くの水分を保有する状態になることがある。そこで、この発明の調湿装置は、その運転を停止する前に予め乾燥動作を行って調湿用部材（81,…）を乾燥させる。この乾燥動作中には、調湿用部材（81,…）へ空気が供給され、この空気によって調湿用部材（81,…）から水分が取り除かれる。
【００２２】
上記第２の発明では、全熱交換器（220）が調湿用部材として調湿装置に設けられる。この調湿装置は、室外から室内への給気と室内から室外への排気とを行って室内を換気する。その際、全熱交換器（220）では、室内へ供給される室外空気と室外へ排出される室内空気との間で熱と水分の授受が行われる。例えば、冬季の暖房中には、室内空気は室外空気に比べて温度及び絶対湿度が高くなっている。このため、冬季の暖房中に調湿装置を運転すると、全熱交換器（220）では、室内空気から室外空気へ熱と水分の移動が行われる。つまり、全熱交換器（220）では、室内へ供給される室外空気に対して室内空気中の水分が付与される。一方、夏季の冷房中には、室内空気は室外空気に比べて温度及び絶対湿度が低くなっている。このため、夏季の冷房中に調湿装置を運転すると、全熱交換器（220）では、室外空気から室内空気へ熱と水分の移動が行われる。つまり、全熱交換器（220）では、室外へ排出される室外空気に対して室外空気中の水分が付与される。
【００２３】
この発明の調湿装置は、室外空気と室内空気のうち湿度の低い方だけを全熱交換器（220）へ供給する動作を乾燥動作として行う。例えば、冬季のように室外空気の方が室内空気よりも湿度の低い場合は、室外空気だけを全熱交換器（220）へ供給し、全熱交換器（220）を乾燥させる。一方、夏季のように室内空気の方が室外空気よりも湿度の低い場合は、室内空気だけを全熱交換器（220）へ供給し、全熱交換器（220）を乾燥させる。
【００２４】
上記第３の発明では、調湿用部材としての吸着素子（81,82,120）と加熱器（72,121,122）とが調湿装置に設けられる。吸着素子（81,82,120）は、吸着剤を備えると共に空気が通過可能に構成され、通過する空気を吸着剤と接触させる。調湿装置は、吸着動作と再生動作とを行う。吸着動作では、吸着素子（81,82,120）の吸着剤に空気中の水分が吸着される。再生動作では、加熱器（72,121,122）で加熱された空気が吸着素子（81,82,120）へ供給され、吸着素子（81,82,120）の吸着剤から水分が脱離する。その際、吸着素子（81,82,120）を通過する空気には、吸着剤から脱離した水分が付与される。そして、調湿装置は、吸着素子（81,82,120）で除湿された空気、又は吸着素子（81,82,120）で加湿された空気を室内へ供給する。
【００２５】
この発明の調湿装置は、加熱器（72,121,122）で加熱された空気だけを吸着素子（81,82,120）へ供給する動作を乾燥動作として行う。加熱器（72,121,122）で加熱された空気を吸着素子（81,82,120）へ供給すると、吸着素子（81,82,120）の吸着剤から水分が脱離し、吸着素子（81,82,120）が乾燥した状態となる。
【００２６】
上記第４の発明では、調湿用部材としての吸着熱交換器（341,342）が調湿装置に設けられる。この吸着熱交換器（341,342）は、冷媒回路（350）に接続される。吸着熱交換器（341,342）では、冷媒回路（350）を循環する冷媒によって吸着剤の加熱と冷却の一方又は両方が行われる。また、吸着熱交換器（341,342）では、担持された吸着剤が空気と接触し、吸着剤と空気の間で水蒸気の授受が行われる。吸着熱交換器（341,342）で吸着剤を冷却すれば、吸着剤への水蒸気の吸着が促進される。吸着熱交換器（341,342）で吸着剤を加熱すれば、吸着剤からの水蒸気の脱離が促進される。乾燥動作中には、調湿用部材として吸着熱交換器（341,342）へ空気が供給される。
【００２７】
上記第５の発明において、乾燥動作中の調湿装置では、冷媒回路（350）での冷凍サイクルを停止させた状態で吸着熱交換器（341,342）へ空気が送り込まれる。水蒸気を多量に吸着した状態の吸着熱交換器（341,342）では、空気だけが供給される状態であっても吸着剤から水蒸気が脱離する。吸着熱交換器（341,342）から脱離した水蒸気は、空気と共に排出される。
【００２８】
上記第６及び第７の発明では、冷媒回路（350）に第１の吸着熱交換器（341）と第２の吸着熱交換器（342）とが設けられる。冷媒回路（350）において、蒸発器となっている方の吸着熱交換器（341,342）では、吸着剤が冷媒によって冷却されて吸着剤への水蒸気の吸着が促進され、吸着剤が水蒸気を吸着することによって空気が除湿される。また、凝縮器となっている方の吸着熱交換器（341,342）では、吸着剤が冷媒によって加熱されて吸着剤からの水蒸気の脱離が促進され、吸着剤から脱離した水蒸気によって空気が加湿される。
【００２９】
上記第６の発明において、乾燥動作中には、前段動作と後段動作とが順に行われる。この乾燥動作について、第１の吸着熱交換器（341）が蒸発器となって第２の吸着熱交換器（342）が凝縮器となっている状態で乾燥動作が開始された場合を例に説明する。
【００３０】
前段動作では、冷媒回路（350）における冷媒の循環方向が反転し、それまでとは逆に第２の吸着熱交換器（342）が蒸発器となって第１の吸着熱交換器（341）が凝縮器になる。また、前段動作では、冷凍サイクルにおける冷媒蒸発温度が乾燥動作の開始前に比べて高く設定され、この状態で冷媒回路（350）を冷媒が循環する。この前段動作中は、蒸発器から凝縮器に切り換わった第１の吸着熱交換器（341）で吸着剤が加熱され、第１の吸着熱交換器（341）から水蒸気が脱離してゆく。その間、凝縮器から蒸発器に切り換わった第２の吸着熱交換器（342）には、空気中の水蒸気が吸着されてゆく。ただし、前段動作中は冷媒蒸発温度が比較的高く設定されているため、第２の吸着熱交換器（342）に吸着される水蒸気の量はそれ程多くならない。
【００３１】
前段動作が終了すると、後段動作が開始される。後段動作では、冷媒回路（350）での冷凍サイクルが停止されると共に、前段動作中に蒸発器となっていた第２の吸着熱交換器（342）だけに空気が供給される。吸着剤の冷却が停止された第２の吸着熱交換器（342）では、空気と接触することによって吸着剤から水蒸気が脱離してゆく。このように、乾燥動作を行うことで、両方の吸着熱交換器（341,342）に残存する水分量が削減される。
【００３２】
上記第７の発明では、冷媒回路（350）に空気熱交換器（360）が設けられる。乾燥動作中の冷媒回路（350）では、乾燥動作の開始直前に蒸発器となっていた吸着熱交換器（341,342）が凝縮器に切り換わって空気熱交換器（360）が蒸発器となるように冷媒の流通経路が設定される。この乾燥動作について、第１の吸着熱交換器（341）が蒸発器となって第２の吸着熱交換器（342）が凝縮器となっている状態で乾燥動作が開始された場合を例に説明する。
【００３３】
乾燥動作が開始されると、それまで蒸発器となっていた第１の吸着熱交換器（341）が凝縮器に切り換わると共に、空気熱交換器（360）が蒸発器となって冷凍サイクルが行われる。蒸発器から凝縮器に切り換わった第１の吸着熱交換器（341）では、吸着剤が加熱されて第１の吸着熱交換器（341）から水蒸気が脱離してゆく。一方、乾燥動作の開始前に凝縮器となっていて乾燥している第２の吸着熱交換器（342）は、空気が供給されない状態となる。従って、乾燥動作中において、第２の吸着熱交換器（342）に水蒸気は殆ど吸着されない。このように、乾燥動作を行うことで、蒸発器となっていた第１の吸着熱交換器（341）に残存する水分量が削減され、また第２の吸着熱交換器（342）に含まれる水分量も殆ど増加しない。
【００３４】
上記第８の発明において、調湿装置は、予備動作を行ってから乾燥動作を開始する。予備動作を行うことで、調湿用部材（81,…）に含まれる水分は増加する。そして、一旦は調湿用部材（81,…）に含まれる水分を増加させておき、その後に乾燥動作を行って調湿用部材（81,…）を乾燥させる。
【００３５】
上記第９の発明では、停止状態の継続時間、即ち直前の停止時点からの経過時間がタイマー手段（131）によって計測される。制御手段（132）は、タイマー手段（131）で計測された経過時間が基準時間に達する毎に乾燥動作を開始させる。つまり、この発明の調湿装置の停止中には、基準時間が経過する度に乾燥動作が行われることになる。
【００３６】
上記第１０の発明では、調湿用部材（81,…）における空気の湿度が湿度検出手段（91,92）によって検出される。制御手段は、乾燥動作の継続時間を上記湿度検出手段（91,92）の検出値に応じて調節する。
【００３７】
上記第１１の発明では、調湿用部材（81,…）がケーシング（10,…）内に設置される。調湿装置の運転中には、調湿用部材（81,…）へ向かう空気や調湿用部材（81,…）を通過した空気がケーシング（10,…）内の空気流路（65,66,…）を流れる。この発明の調湿装置には、遮断機構（21,…,31,…）が設けられる。調湿装置の停止中において、遮断機構（21,…,31,…）は、ケーシング（10,…）の外部から空気流路（65,66,…）を通って調湿用部材（81,…）へ向かう空気の流れを阻止する。つまり、遮断機構（21,…,31,…）は、ケーシング（10,…）外部の空気が調湿用部材（81,…）へ侵入するのを阻止する。
【００３８】
上記第１２の発明では、ケーシング（10,…）内に室内側の空気流路（67,68,…）と室外側の空気流路（65,66,…）とが形成される。調湿装置の運転中は、ケーシング（10,…）内へ取り込まれた室内空気や調湿用部材（81,…）を通過後に室内へ供給される空気が室内側の空気流路（67,68,…）を流れ、ケーシング（10,…）内へ取り込まれた室外空気や調湿用部材（81,…）を通過後に室外へ排出される空気が室外側の空気流路（65,66,…）を流れる。この発明において、調湿装置の停止中には、室外側の空気流路（65,66,…）を通って調湿用部材（81,…）へ向かう空気の流れが遮断機構（21,…,31,…）によって阻止される。つまり、遮断機構（21,…,31,…）は、調湿装置の停止中に室外空気が調湿用部材（81,…）へ侵入するのを防止する。
【００３９】
上記第１３の発明において、調湿装置の停止中には、室外側の空気流路（65,66,…）を通って調湿用部材（81,…）へ向かう空気の流れだけでなく、室内側の空気流路（67,68,…）を通って調湿用部材（81,…）へ向かう空気の流れも遮断機構（21,…,31,…）によって阻止される。つまり、遮断機構（21,…,31,…）は、調湿装置の停止中に室外空気と室内空気の両方が調湿用部材（81,…）へ侵入するのを防止する。
【発明の効果】
【００４０】
本発明において、調湿装置は、その運転を停止する前に予め乾燥動作を行って調湿用部材（81,…）を乾燥させている。このため、調湿装置の停止中には、調湿用部材（81,…）を乾燥した状態、即ちカビが生育しにくい状態に保つことができる。従って、この発明によれば、調湿装置の停止中における調湿用部材（81,…）でのカビの発生や成長を抑制でき、カビに起因する調湿用部材（81,…）の劣化を低減することができる。この結果、調湿用部材（81,…）の寿命を延ばすことができ、調湿装置のランニングコストを低減できる。
【００４１】
上記第６及び第７の発明によれば、第１の吸着熱交換器（341）と第２の吸着熱交換器（342）とが１つの冷媒回路（350）に設けられる調湿装置において、乾燥動作を行うことによって両方の吸着熱交換器（341,342）に残存する水分量を確実に削減できる。従って、カビ等の発生による吸着熱交換器（341,342）の劣化を抑えることができ、調湿装置の信頼性を向上させることができる。
【００４２】
上記第８の発明では、予備動作を行って調湿用部材（81,…）に含まれる水分を一旦増大させ、その後に乾燥動作を行って調湿用部材（81,…）を乾燥させてから調湿装置の運転を停止するようにしている。ここで、カビが存在する環境の湿度を一旦高くしてから急激に低下させると、カビの菌糸を効率的に死滅させることができる。従って、予備動作で調湿用部材（81,…）に含まれる水分を増大させてから乾燥動作で調湿用部材（81,…）を乾燥させるようにすれば、調湿用部材（81,…）に存在するカビの菌糸を確実に死滅させることができ、カビの成長を確実に抑制して調湿用部材（81,…）の寿命を延ばすことができる。
【００４３】
上記第９の発明では、調湿装置の停止時間が所定の基準時間に達する毎に乾燥動作を行うようにしている。ここで、調湿装置の停止中には湿度の高い空気が侵入する場合があり、このような場合は調湿装置の停止中であっても調湿用部材（81,…）に含まれる水分が次第に増加するおそれがある。これに対し、この発明の調湿装置では、調湿装置の停止状態が所定の基準時間に亘って継続するたびに乾燥動作を行うようにしている。従って、この発明によれば、調湿装置の停止中に湿った空気が調湿用部材（81,…）へ侵入する場合でも調湿用部材（81,…）を乾燥状態に保持することができ、調湿用部材（81,…）の寿命を確実に延ばすことができる。
【００４４】
上記第１０の発明では、湿度検出手段（91,92）の検出値に応じて制御手段が乾燥動作の継続時間を調節している。従って、乾燥動作を必要にして充分な時間だけ行うことができ、調湿用部材（81,…）を確実に乾燥させてカビの生育を抑制することが可能となる。
【００４５】
上記第１１，第１２及び第１３の発明では、調湿装置の停止中における調湿用部材（81,…）への空気の侵入を遮断機構（21,…,31,…）によって阻止している。従って、調湿装置の停止中には、乾燥動作によって乾燥させた調湿用部材（81,…）を確実に乾燥した状態に保つことができ、カビの発生を防止して調湿用部材（81,…）の寿命を確実に延ばすことができる。
【発明を実施するための最良の形態】
【００４６】
以下、本発明の実施形態を図面に基づいて詳細に説明する。
【００４７】
《発明の実施形態１》
本発明の実施形態１について説明する。本実施形態の調湿装置は、除湿した空気を室内へ供給する除湿運転と、加湿した空気を室内へ供給する加湿運転とを切り換えて行うように構成されている。
【００４８】
尚、本実施形態の説明において用いる「上」「下」「左」「右」「前」「後」「手前」「奥」は、本実施形態の調湿装置を正面側から見た場合のものを意味している。
【００４９】
図１及び図２に示すように、上記調湿装置は、高さの低い扁平な直方体状のケーシング（10）を備えている。このケーシング（10）には、２つの吸着素子（81,82）と冷媒回路とが収納されている。
【００５０】
冷媒回路には、再生用熱交換器（72）と、第１熱交換器（73）と、第２熱交換器（74）と、圧縮機（71）と、膨張弁とが設けられている。尚、図１及び図２において、膨張弁の図示は省略する。この冷媒回路では、充填された冷媒を循環させることによって冷凍サイクルが行われる。再生用熱交換器（72）は、凝縮器として機能する。また、冷媒回路では、第１熱交換器（73）が蒸発器となって第２熱交換器（74）が休止する動作と、第２熱交換器（74）が蒸発器となって第１熱交換器（73）が休止する動作とが切換可能となっている。
【００５１】
図６に示すように、上記吸着素子（81,82）は、平板状の平板部材（83）と波形状の波板部材（84）とを交互に積層したものであり、全体として直方体状ないし四角柱状に形成されている。吸着素子（81,82）には、平板部材（83）及び波板部材（84）の積層方向において、調湿側通路（85）と冷却側通路（86）とが平板部材（83）を挟んで交互に区画形成されている。吸着素子（81,82）では、平板部材（83）の長辺側の側面に調湿側通路（85）が開口し、平板部材（83）の短辺側の側面に冷却側通路（86）が開口している。調湿側通路（85）に臨む平板部材（83）及び波板部材（84）の表面には、ゼオライト等の吸着剤が塗布されている。この吸着素子（81,82）は、調湿用部材を構成している。
【００５２】
図１及び図２に示すように、上記ケーシング（10）では、正面側の第１パネル（11）に排気口（14）及び給気口（16）が設けられ、背面側の第２パネル（12）に外気吸込口（13）及び内気吸込口（15）が設けられている。第１パネル（11）では、その右側部分のやや中央寄りに排気口（14）が、その左側部分のやや中央寄りに給気口（16）がそれぞれ開口している。第２パネル（12）では、その右端寄りの下部に外気吸込口（13）が、その左端寄りの下部に内気吸込口（15）がそれぞれ開口している。
【００５３】
ケーシング（10）の内部は、正面側の空間と背面側の空間とに仕切られている。
【００５４】
ケーシング（10）内の正面側の空間は、左右に仕切られており、右側の空間が第１空間（41）を、左側の空間が第２空間（42）をそれぞれ構成している。第１空間（41）は、排気口（14）を介して室外に連通しており、その内部に圧縮機（71）と排気ファン（45）と第１熱交換器（73）とが設置されている。第２空間（42）は、給気口（16）を介して室内に連通しており、その内部に給気ファン（46）と第２熱交換器（74）とが設置されている。
【００５５】
ケーシング（10）内の背面側の空間には、右側仕切板（20）と左側仕切板（30）とが立設されている。この背面側の空間は、右側仕切板（20）及び左側仕切板（30）によって、左右に３つの空間に仕切られている。
【００５６】
ケーシング（10）の右側板と右側仕切板（20）の間の空間は、上下に仕切られている。この空間は、上側の空間が右上部流路（65）を構成し、下側の空間が右下部流路（66）を構成している。右上部流路（65）は、第１空間（41）及び排気口（14）を介して室外と連通している。右下部流路（66）は、外気吸込口（13）を介して室外と連通している。そして、右上部流路（65）及び右下部流路（66）は、室外に連通する室外側の空気流路を構成している。
【００５７】
ケーシング（10）の左側板と左側仕切板（30）の間の空間は、上下に仕切られている。この空間は、上側の空間が左上部流路（67）を構成し、下側の空間が左下部流路（68）を構成している。左上部流路（67）は、第２空間（42）及び給気口（16）を介して室内と連通している。左下部流路（68）は、内気吸込口（15）を介して室内と連通している。そして、左上部流路（67）及び左下部流路（68）は、室内に連通する室内側の空気流路を構成している。
【００５８】
ケーシング（10）内における右側仕切板（20）と左側仕切板（30）の間の空間には、２つの吸着素子（81,82）が設置されている。２つの吸着素子（81,82）は、前後に間隔をおいて並べられている。具体的には、ケーシング（10）の正面寄りに第１吸着素子（81）が配置され、その背面寄りに第２吸着素子（82）が配置されている。また、各吸着素子（81,82）は、上下の面に調湿側通路（85）が開口し、その前後の面に冷却側通路（86）が開口する姿勢となっている。
【００５９】
また、ケーシング（10）内における右側仕切板（20）と左側仕切板（30）の間の空間は、第１流路（51）、第２流路（52）、第１上部流路（53）、第１下部流路（54）、第２上部流路（55）、第２下部流路（56）及び中央流路（57）に区画されている。
【００６０】
第１流路（51）は、第１吸着素子（81）の手前側に形成され、第１吸着素子（81）の冷却側通路（86）に連通している。第２流路（52）は、第２吸着素子（82）の奥側に形成され、第２吸着素子（82）の冷却側通路（86）に連通している。
【００６１】
第１上部流路（53）は、第１吸着素子（81）の上側に形成され、第１吸着素子（81）の調湿側通路（85）に連通している。第１下部流路（54）は、第１吸着素子（81）の下側に形成され、第１吸着素子（81）の調湿側通路（85）に連通している。第２上部流路（55）は、第２吸着素子（82）の上側に形成され、第２吸着素子（82）の調湿側通路（85）に連通している。第２下部流路（56）は、第２吸着素子（82）の下側に形成され、第２吸着素子（82）の調湿側通路（85）に連通している。
【００６２】
中央流路（57）は、第１吸着素子（81）と第２吸着素子（82）の間に形成され、両吸着素子（81,82）の冷却側通路（86）に連通している。この中央流路（57）には、再生用熱交換器（72）が立設されている。この再生用熱交換器（72）は、空気を加熱するための加熱器を構成している。
【００６３】
中央流路（57）と第１下部流路（54）の間の仕切りには、その下部に第１中央ダンパ（61）が設けられている。第１中央ダンパ（61）は、中央流路（57）と第１下部流路（54）の間を断続する。中央流路（57）と第２下部流路（56）の間の仕切りには、その下部に第２中央ダンパ（62）が設けられている。第２中央ダンパ（62）は、中央流路（57）と第２下部流路（56）の間を断続する。
【００６４】
右側仕切板（20）には、第１右側ダンパ（21）、第２右側ダンパ（22）、第１右上ダンパ（23）、第１右下ダンパ（24）、第２右上ダンパ（25）、及び第２右下ダンパ（26）が設けられている。
【００６５】
第１右側ダンパ（21）は、右側仕切板（20）における最も手前側の下部に設けられ、第１流路（51）と右下部流路（66）の間を断続する。第２右側ダンパ（22）は、右側仕切板（20）における最も奥側の下部に設けられ、第２流路（52）と右下部流路（66）の間を断続する。
【００６６】
第１右上ダンパ（23）は、右側仕切板（20）のうち第１吸着素子（81）に隣接する部分の上部に設けられ、第１上部流路（53）と右上部流路（65）の間を断続する。第１右下ダンパ（24）は、右側仕切板（20）のうち第１吸着素子（81）に隣接する部分の下部に設けられ、第１下部流路（54）と右下部流路（66）の間を断続する。第２右上ダンパ（25）は、右側仕切板（20）のうち第２吸着素子（82）に隣接する部分の上部に設けられ、第２上部流路（55）と右上部流路（65）の間を断続する。第２右下ダンパ（26）は、右側仕切板（20）のうち第２吸着素子（82）に隣接する部分の下部に設けられ、第２下部流路（56）と右下部流路（66）の間を断続する。
【００６７】
このように、第１右側ダンパ（21）、第１右上ダンパ（23）、及び第１右下ダンパ（24）は、室外側の空気流路である右上部流路（65）や右下部流路（66）から第１吸着素子（81）へ向かう空気の流れを遮断する遮断機構を構成している。一方、第２右側ダンパ（22）、第２右上ダンパ（25）、及び第２右下ダンパ（26）は、室外側の空気流路である右上部流路（65）や右下部流路（66）から第２吸着素子（82）へ向かう空気の流れを遮断する遮断機構を構成している。
【００６８】
左側仕切板（30）には、第１左側ダンパ（31）、第２左側ダンパ（32）、第１左上ダンパ（33）、第１左下ダンパ（34）、第２左上ダンパ（35）、及び第２左下ダンパ（36）が設けられている。
【００６９】
第１左側ダンパ（31）は、左側仕切板（30）における手前側の下部に設けられ、第１流路（51）と左下部流路（68）の間を断続する。第２左側ダンパ（32）は、左側仕切板（30）における奥側の下部に設けられ、第２流路（52）と左下部流路（68）の間を断続する。
【００７０】
第１左上ダンパ（33）は、左側仕切板（30）のうち第１吸着素子（81）に隣接する部分の上部に設けられ、第１上部流路（53）と左上部流路（67）の間を断続する。第１左下ダンパ（34）は、左側仕切板（30）のうち第１吸着素子（81）に隣接する部分の下部に設けられ、第１下部流路（54）と左下部流路（68）の間を断続する。第２左上ダンパ（35）は、左側仕切板（30）のうち第２吸着素子（82）に隣接する部分の上部に設けられ、第２上部流路（55）と左上部流路（67）の間を断続する。第２左下ダンパ（36）は、左側仕切板（30）のうち第２吸着素子（82）に隣接する部分の下部に設けられ、第２下部流路（56）と左下部流路（68）の間を断続する。
【００７１】
このように、第１左側ダンパ（31）、第１左上ダンパ（33）、及び第１左下ダンパ（34）は、室内側の空気流路流路である左上部流路（67）や左下部流路（68）から第１吸着素子（81）へ向かう空気の流れを遮断する遮断機構を構成している。一方、第２左側ダンパ（32）、第２左上ダンパ（35）、及び第２左下ダンパ（36）は、室内側の空気流路流路である左上部流路（67）や左下部流路（68）から第２吸着素子（82）へ向かう空気の流れを遮断する遮断機構を構成している。
【００７２】
−運転動作−
上記調湿装置の運転動作について説明する。この調湿装置は、除湿運転と加湿運転とを切り換えて行う。また、この調湿装置は、第１動作と第２動作とを交互に繰り返すことによって除湿運転や加湿運転を行う。
【００７３】
〈除湿運転〉
図２及び図３に示すように、除湿運転時において、給気ファン（46）を駆動すると、室外空気（OA）が外気吸込口（13）からケーシング（10）内へ第１空気として取り込まれる。一方、排気ファン（45）を駆動すると、室内空気（RA）が内気吸込口（15）からケーシング（10）内へ第２空気として取り込まれる。また、除湿運転時において、冷媒回路では、再生用熱交換器（72）が凝縮器となり、第２熱交換器（74）が蒸発器となる一方、第１熱交換器（73）が休止する。
【００７４】
除湿運転中の第１動作について、図２を参照しながら説明する。この第１動作では、第１吸着素子（81）についての吸着動作と、第２吸着素子（82）についての再生動作とが行われる。
【００７５】
この第１動作において、右側仕切板（20）では、第１右下ダンパ（24）と第２右上ダンパ（25）とが開状態となり、残りのダンパ（21,22,23,26）が閉状態となる。左側仕切板（30）では、第１左側ダンパ（31）と第１左上ダンパ（33）とが開状態となり、残りのダンパ（32,34,35,36）が閉状態となる。第１中央ダンパ（61）は閉状態となり、第２中央ダンパ（62）は開状態となる。
【００７６】
ケーシング（10）内へ取り込まれた第１空気は、右下部流路（66）から第１右下ダンパ（24）を通って第１下部流路（54）へ流入する。第１下部流路（54）の第１空気は、第１吸着素子（81）の調湿側通路（85）へ流入する。この調湿側通路（85）では、第１空気中の水蒸気が吸着剤に吸着される。第１吸着素子（81）で除湿された第１空気は、第１上部流路（53）へ流入し、その後に第１左上ダンパ（33）と左上部流路（67）とを順に通過して第２空間（42）へ流入する。第２空間（42）において、第１空気は、第２熱交換器（74）を通過する間に冷媒と熱交換して冷却される。そして、除湿されて冷却された第１空気は、給気口（16）を通って室内へ供給される。
【００７７】
一方、ケーシング（10）内へ取り込まれた第２空気は、左下部流路（68）から第１左側ダンパ（31）を通って第１流路（51）へ流入し、その後に第１吸着素子（81）の冷却側通路（86）へ流入する。この冷却側通路（86）を流れる間に、第２空気は、調湿側通路（85）で生じた吸着熱を吸熱する。吸着熱を奪った第２空気は、中央流路（57）へ流入して再生用熱交換器（72）を通過し、その際に冷媒と熱交換して更に加熱される。
【００７８】
加熱された第２空気は、中央流路（57）から第２下部流路（56）へ流入し、その後に第２吸着素子（82）の調湿側通路（85）へ流入する。この調湿側通路（85）では、第２空気によって吸着剤が加熱され、吸着剤から水蒸気が脱離する。吸着剤から脱離した水蒸気は、第２空気に付与される。調湿側通路（85）で加湿された第２空気は、第２上部流路（55）へ流入し、その後に第２右上ダンパ（25）と右上部流路（65）とを順に通過して第１空間（41）へ流入する。その後、第２空気は、休止中の第１熱交換器（73）を通過し、排気口（14）を通って室外へ排出される。
【００７９】
除湿運転の第２動作について、図３を参照しながら説明する。この第２動作では、第２吸着素子（82）についての吸着動作と、第１吸着素子（81）についての再生動作とが行われる。
【００８０】
この第２動作において、右側仕切板（20）では、第１右上ダンパ（23）と第２右下ダンパ（26）とが開状態となり、残りのダンパ（21,22,24,25）が閉状態となる。左側仕切板（30）では、第２左側ダンパ（32）と第２左上ダンパ（35）とが開状態となり、残りのダンパ（31,33,34,36）が閉状態となる。第１中央ダンパ（61）は開状態となり、第２中央ダンパ（62）は閉状態となる。
【００８１】
ケーシング（10）内へ取り込まれた第１空気は、右下部流路（66）から第２右下ダンパ（26）を通って第２下部流路（56）へ流入する。第２下部流路（56）の第１空気は、第２吸着素子（82）の調湿側通路（85）へ流入する。この調湿側通路（85）では、第１空気中の水蒸気が吸着剤に吸着される。第２吸着素子（82）で除湿された第１空気は、第２上部流路（55）へ流入し、その後に第２左上ダンパ（35）と左上部流路（67）とを順に通過して第２空間（42）へ流入する。第２空間（42）において、第１空気は、第２熱交換器（74）を通過する間に冷媒と熱交換して冷却される。そして、除湿されて冷却された第１空気は、給気口（16）を通って室内へ供給される。
【００８２】
一方、ケーシング（10）内へ取り込まれた第２空気は、左下部流路（68）から第２左側ダンパ（32）を通って第２流路（52）へ流入し、その後に第２吸着素子（82）の冷却側通路（86）へ流入する。この冷却側通路（86）を流れる間に、第２空気は、調湿側通路（85）で生じた吸着熱を吸熱する。吸着熱を奪った第２空気は、中央流路（57）へ流入して再生用熱交換器（72）を通過し、その際に冷媒と熱交換して更に加熱される。
【００８３】
加熱された第２空気は、中央流路（57）から第１下部流路（54）へ流入し、その後に第１吸着素子（81）の調湿側通路（85）へ流入する。この調湿側通路（85）では、第２空気によって吸着剤が加熱され、吸着剤から水蒸気が脱離する。吸着剤から脱離した水蒸気は、第２空気に付与される。調湿側通路（85）で加湿された第２空気は、第１上部流路（53）へ流入し、その後に第１右上ダンパ（23）と右上部流路（65）とを順に通過して第１空間（41）へ流入する。その後、第２空気は、休止中の第１熱交換器（73）を通過し、排気口（14）を通って室外へ排出される。
【００８４】
〈加湿運転〉
図４及び図５に示すように、加湿運転時において、給気ファン（46）を駆動すると、室外空気（OA）が外気吸込口（13）からケーシング（10）へ第２空気として取り込まれる。一方、排気ファン（45）を駆動すると、室内空気（RA）が内気吸込口（15）からケーシング（10）内へ第１空気として取り込まれる。また、加湿運転時において、冷媒回路では、再生用熱交換器（72）が凝縮器となり、第１熱交換器（73）が蒸発器となる一方、第２熱交換器（74）が休止する。
【００８５】
加湿運転の第１動作について、図４を参照しながら説明する。この第１動作では、第１吸着素子（81）についての吸着動作と、第２吸着素子（82）についての再生動作とが行われる。
【００８６】
この第１動作において、右側仕切板（20）では、第１右側ダンパ（21）と第１右上ダンパ（23）とが開状態となり、残りのダンパ（22,24,25,26）が閉状態となる。左側仕切板（30）では、第１左下ダンパ（34）と第２左上ダンパ（35）とが開状態となり、残りのダンパ（31,32,33,36）が閉状態となる。第１中央ダンパ（61）は閉状態となり、第２中央ダンパ（62）は開状態となる。
【００８７】
ケーシング（10）内へ取り込まれた第１空気は、左下部流路（68）から第１左下ダンパ（34）を通って第１下部流路（54）へ流入する。第１下部流路（54）の第１空気は、第１吸着素子（81）の調湿側通路（85）へ流入する。この調湿側通路（85）では、第１空気中の水蒸気が吸着剤に吸着される。第１吸着素子（81）で水分を奪われた第１空気は、第１上部流路（53）へ流入し、その後に第１右上ダンパ（23）と右上部流路（65）とを順に通過して第１空間（41）へ流入する。第１空間（41）において、第１空気は、第１熱交換器（73）を通過する間に冷媒と熱交換して冷却される。そして、水分と熱を奪われた第１空気は、排気口（14）を通って室外へ排出される。
【００８８】
一方、ケーシング（10）内へ取り込まれた第２空気は、右下部流路（66）から第１右側ダンパ（21）を通って第１流路（51）へ流入し、その後に第１吸着素子（81）の冷却側通路（86）へ流入する。この冷却側通路（86）を流れる間に、第２空気は、調湿側通路（85）で生じた吸着熱を吸熱する。吸着熱を奪った第２空気は、中央流路（57）へ流入して再生用熱交換器（72）を通過し、その際に冷媒と熱交換して加熱される。
【００８９】
加熱された第２空気は、中央流路（57）から第２下部流路（56）へ流入し、その後に第２吸着素子（82）の調湿側通路（85）へ流入する。この調湿側通路（85）では、第２空気によって吸着剤が加熱され、吸着剤から水蒸気が脱離する。吸着剤から脱離した水蒸気は、第２空気に付与される。第２吸着素子（82）で加湿された第２空気は、その後に第２上部流路（55）へ流入し、第２左上ダンパ（35）と左上部流路（67）とを順に通過して第２空間（42）へ流入する。その後、第２空気は、休止中の第２熱交換器（74）を通過し、給気口（16）を通って室内へ供給される。
【００９０】
加湿運転の第２動作について、図５を参照しながら説明する。この第２動作では、第２吸着素子（82）についての吸着動作と、第１吸着素子（81）についての再生動作とが行われる。
【００９１】
この第２動作において、右側仕切板（20）では、第２右側ダンパ（22）と第２右上ダンパ（25）とが開状態となり、残りのダンパ（21,23,24,26）が閉状態となる。左側仕切板（30）では、第１左上ダンパ（33）と第２左下ダンパ（36）とが開状態となり、残りのダンパ（31,32,34,35）が閉状態となる。第１中央ダンパ（61）は開状態となり、第２中央ダンパ（62）は閉状態となる。
【００９２】
ケーシング（10）内へ取り込まれた第１空気は、左下部流路（68）から第２左下ダンパ（36）を通って第２下部流路（56）へ流入する。第２下部流路（56）の第１空気は、第２吸着素子（82）の調湿側通路（85）へ流入する。この調湿側通路（85）では、第１空気中の水蒸気が吸着剤に吸着される。第２吸着素子（82）で水分を奪われた第１空気は、第２上部流路（55）へ流入し、その後に第２右上ダンパ（25）と右上部流路（65）とを順に通過して第１空間（41）へ流入する。第１空間（41）において、第１空気は、第１熱交換器（73）を通過する間に冷媒と熱交換して冷却される。そして、水分と熱を奪われた第１空気は、排気口（14）を通って室外へ排出される。
【００９３】
一方、ケーシング（10）内へ取り込まれた第２空気は、右下部流路（66）から第２右側ダンパ（22）を通って第２流路（52）へ流入し、その後に第２吸着素子（82）の冷却側通路（86）へ流入する。この冷却側通路（86）を流れる間に、第２空気は、調湿側通路（85）で生じた吸着熱を吸熱する。吸着熱を奪った第２空気は、中央流路（57）へ流入して再生用熱交換器（72）を通過し、その際に冷媒と熱交換して加熱される。
【００９４】
加熱された第２空気は、中央流路（57）から第１下部流路（54）へ流入し、その後に第１吸着素子（81）の調湿側通路（85）へ流入する。この調湿側通路（85）では、第２空気によって吸着剤が加熱され、吸着剤から水蒸気が脱離する。吸着剤から脱離した水蒸気は、第２空気に付与される。調湿側通路（85）で加湿された第２空気は、第１上部流路（53）へ流入し、その後に第１吸着素子（81）で加湿された第２空気は、第１上部流路（53）へ流入し、その後に第１左上ダンパ（33）と左上部流路（67）とを順に通過して第２空間（42）へ流入する。その後、第２空気は、休止中の第２熱交換器（74）を通過し、給気口（16）を通って室内へ供給される。
【００９５】
−停止する際の動作−
除湿運転又は加湿運転を停止する際に、上記調湿装置は、吸着素子（81,82）を乾燥させるための乾燥動作を予め行ってから停止する。この動作について、図７及び図８を参照しながら説明する。
【００９６】
第１吸着素子（81）を乾燥させる動作について、図７を参照しながら説明する。この場合、右側仕切板（20）では、第２右側ダンパ（22）及び第１右上ダンパ（23）が開かれ、第１右側ダンパ（21）、第１右下ダンパ（24）、第２右上ダンパ（25）、及び第２右下ダンパ（26）が閉じられる。左側仕切板（30）では、全てのダンパ、即ち第１左側ダンパ（31）、第２左側ダンパ（32）、第１左上ダンパ（33）、第１左下ダンパ（34）、第２左上ダンパ（35）、及び第２左下ダンパ（36）が閉じられる。また、第１中央ダンパ（61）が開かれ、第２中央ダンパ（62）が閉じられる。冷媒回路では冷凍サイクルが行われ、再生用熱交換器（72）が凝縮器となって第１熱交換器（73）が蒸発器となる。
【００９７】
この状態において、排気ファン（45）だけが駆動され、給気ファン（46）は休止する。外気吸込口（13）から右下部流路（66）へ流入した室外空気は、順に第２右側ダンパ（22）と第２流路（52）と第２吸着素子（82）の冷却側通路（86）とを通過して中央流路（57）へ流入する。中央流路（57）へ流入した室外空気は、再生用熱交換器（72）を通過する間に加熱され、その後、順に第１中央ダンパ（61）と第１下部流路（54）とを通過して第１吸着素子（81）の調湿側通路（85）へ流入する。第１吸着素子（81）は、導入された室外空気によって加熱され、この第１吸着素子（81）から水分が脱離する。第１吸着素子（81）から脱離した水分を付与された室外空気は、順に第１上部流路（53）と第１右上ダンパ（23）と右上部流路（65）とを通過して第１空間（41）へ流入し、排気口（14）を通って室外へ排出される。
【００９８】
第２吸着素子（82）を乾燥させる動作について、図８を参照しながら説明する。この場合、右側仕切板（20）では、第１右側ダンパ（21）及び第２右上ダンパ（25）が開かれ、第２右側ダンパ（22）、第１右上ダンパ（23）、第１右下ダンパ（24）、及び第２右下ダンパ（26）が閉じられる。左側仕切板（30）では、全てのダンパ、即ち第１左側ダンパ（31）、第２左側ダンパ（32）、第１左上ダンパ（33）、第１左下ダンパ（34）、第２左上ダンパ（35）、及び第２左下ダンパ（36）が閉じられる。また、第２中央ダンパ（62）が開かれ、第１中央ダンパ（61）が閉じられる。冷媒回路では冷凍サイクルが行われ、再生用熱交換器（72）が凝縮器となって第１熱交換器（73）が蒸発器となる。
【００９９】
この状態において、排気ファン（45）だけが駆動され、給気ファン（46）は休止する。外気吸込口（13）から右下部流路（66）へ流入した室外空気は、順に第１右側ダンパ（21）と第１流路（51）と第１吸着素子（81）の冷却側通路（86）とを通過して中央流路（57）へ流入する。中央流路（57）へ流入した室外空気は、再生用熱交換器（72）を通過する間に加熱され、その後、順に第２中央ダンパ（62）と第２下部流路（56）とを通過して第２吸着素子（82）の調湿側通路（85）へ流入する。第２吸着素子（82）は、導入された室外空気によって加熱され、この第２吸着素子（82）から水分が脱離する。第２吸着素子（82）から脱離した水分を付与された室外空気は、順に第２上部流路（55）と第２右上ダンパ（25）と右上部流路（65）とを通過して第１空間（41）へ流入し、排気口（14）を通って室外へ排出される。
【０１００】
上記調湿装置は、上述した第１吸着素子（81）を乾燥させる動作と第２吸着素子（82）を乾燥させる動作との両方を行い、その後に右側仕切板（20）及び左側仕切板（30）に設けられた全てのダンパ（21,…,31,…）を閉じてから停止する。
【０１０１】
つまり、図９に示すように、調湿装置は、第１左側ダンパ（31）、第２左側ダンパ（32）、第１左上ダンパ（33）、第１左下ダンパ（34）、第２左上ダンパ（35）、及び第２左下ダンパ（36）を停止する際に閉状態に設定し、停止中もこれらのダンパ（31,…）を閉状態に保持する。これによって、第１吸着素子（81）及び第２吸着素子（82）は、室内側流路である左上部流路（67）及び左下部流路（68）から隔てられる。そして、閉状態に保持されたこれらのダンパ（31,…）は、左上部流路（67）や左下部流路（68）を通って吸着素子（81,82）へ向かう室内空気の流れを遮断する。
【０１０２】
更に、調湿装置は、第１右側ダンパ（21）、第２右側ダンパ（22）、第１右上ダンパ（23）、第１右下ダンパ（24）、第２右上ダンパ（25）、及び第２右下ダンパ（26）を停止する際に閉状態に設定し、停止中もこれらのダンパ（21,…）を閉状態に保持する。これによって、第１吸着素子（81）及び第２吸着素子（82）は、室外側流路である右上部流路（65）及び右下部流路（66）から隔てられる。そして、閉状態に保持されたこれらのダンパ（21,…）は、右上部流路（65）や右下部流路（66）を通って吸着素子（81,82）へ向かう室外空気の流れを遮断する。
【０１０３】
このように、調湿装置の停止中には、第１吸着素子（81）及び第２吸着素子（82）が室内と室外の両方から隔離された状態となる。従って、調湿装置の停止中に室内空気や室外空気が第１吸着素子（81）及び第２吸着素子（82）へ侵入することはなく、これら吸着素子（81,82）が乾燥した状態に保持される。
【０１０４】
−実施形態１の効果−
本実施形態の調湿装置は、その運転を停止する前に予め乾燥動作を行って吸着素子（81,82）を乾燥させている。このため、調湿装置の停止中には、吸着素子（81,82）を乾燥した状態、即ちカビが生育しにくい状態に保つことができる。従って、本実施形態によれば、調湿装置の停止中における吸着素子（81,82）でのカビの発生や成長を抑制でき、カビに起因する吸着素子（81,82）の劣化を低減することができる。この結果、吸着素子（81,82）の寿命を延ばすことができ、調湿装置のランニングコストを低減できる。
【０１０５】
また、本実施形態の調湿装置において、運転の停止中には、遮断機構を構成する各ダンパ（21,…,31,…）が閉状態に保持され、吸着素子（81,82）への室内空気や室外空気の侵入が阻止される。従って、調湿装置の停止中には、乾燥動作によって乾燥させた吸着素子（81,82）を確実に乾燥した状態に保つことができ、カビの発生を防止して吸着素子（81,82）の寿命を確実に延ばすことができる。
【０１０６】
−実施形態１の変形例−
本実施形態の調湿装置では、吸着素子（81,82）に含まれる水分を増大させるための予備動作を、乾燥動作の直前に行うようにしてもよい。この予備動作としては、室外空気中の水分を吸着素子（81,82）に吸着させる動作を行ってもよいし、室内空気中の水分を吸着素子（81,82）に吸着させる動作を行ってもよい。
【０１０７】
先ず、室外空気中の水分を吸着素子（81,82）に吸着させる場合の動作について、図１０を参照しながら説明する。この場合、右側仕切板（20）では、第１右上ダンパ（23）、第１右下ダンパ（24）、第２右上ダンパ（25）、及び第２右下ダンパ（26）が開かれ、第１右側ダンパ（21）、第２右側ダンパ（22）が閉じられる。また、左側仕切板（30）では、全てのダンパ、即ち第１左側ダンパ（31）、第２左側ダンパ（32）、第１左上ダンパ（33）、第１左下ダンパ（34）、第２左上ダンパ（35）、及び第２左下ダンパ（36）が閉じられる。尚、第１中央ダンパ（61）及び第２中央ダンパ（62）は、開状態であってもよく、閉状態であってもよい。冷媒回路の圧縮機（71）は、停止している。
【０１０８】
この状態において、排気ファン（45）だけが駆動され、給気ファン（46）は休止する。外気吸込口（13）から右下部流路（66）へ流入した室外空気は、その約半分が順に第１右下ダンパ（24）と第１下部流路（54）とを通過して第１吸着素子（81）の調湿側通路（85）へ流入し、残りの約半分が順に第２右下ダンパ（26）と第２下部流路（56）とを通過して第２吸着素子（82）の調湿側通路（85）へ流入する。第１及び第２吸着素子（81,82）では、室外空気中の水分が吸着剤に吸着される。第１吸着素子（81）で水分を奪われた室外空気は、順に第１上部流路（53）と第１右上ダンパ（23）とを通過して右上部流路（65）へ流入する。第２吸着素子（82）で水分を奪われた室外空気は、順に第２上部流路（55）と第２右上ダンパ（25）とを通過して右上部流路（65）へ流入する。そして、右上部流路（65）へ流入した室外空気は、第１空間（41）へ流入し、排気口（14）を通って室外へ排出される。
【０１０９】
次に、室内空気中の水分を吸着素子（81,82）に吸着させる場合の動作について、図１１を参照しながら説明する。この場合、右側仕切板（20）では、第１右上ダンパ（23）及び第２右上ダンパ（25）が開かれ、第１右側ダンパ（21）、第２右側ダンパ（22）、第１右下ダンパ（24）、及び第２右下ダンパ（26）が閉じられる。また、左側仕切板（30）では、第１左下ダンパ（34）及び第２左下ダンパ（36）が開かれ、第１左側ダンパ（31）、第２左側ダンパ（32）、第１左上ダンパ（33）、及び第２左上ダンパ（35）が閉じられる。尚、第１中央ダンパ（61）及び第２中央ダンパ（62）は、開状態であってもよく、閉状態であってもよい。冷媒回路の圧縮機（71）は、停止している。
【０１１０】
この状態において、排気ファン（45）だけが駆動され、給気ファン（46）は休止する。内気吸込口（15）から左下部流路（68）へ流入した室内空気は、その約半分が順に第１左下ダンパ（34）と第１下部流路（54）とを通過して第１吸着素子（81）の調湿側通路（85）へ流入し、残りの約半分が順に第２左下ダンパ（36）と第２下部流路（56）とを通過して第２吸着素子（82）の調湿側通路（85）へ流入する。第１及び第２吸着素子（81,82）では、室内空気中の水分が吸着剤に吸着される。第１吸着素子（81）で水分を奪われた室内空気は、順に第１上部流路（53）と第１右上ダンパ（23）とを通過して右上部流路（65）へ流入する。第２吸着素子（82）で水分を奪われた室内空気は、順に第２上部流路（55）と第２右上ダンパ（25）とを通過して右上部流路（65）へ流入する。そして、右上部流路（65）へ流入した室内空気は、第１空間（41）へ流入し、排気口（14）を通って室外へ排出される。
【０１１１】
ここで、カビの存在する環境の湿度を一旦高めておいてから急激に低下させると、カビの菌糸を効果的に死滅させることができる。そして、カビの菌糸を効率よく死滅させることができれば、カビの生育を確実に抑制することが可能となる。そこで、この変形例では、予備動作を行って吸着素子（81,82）に含まれる水分を一旦は増大させ、その後に乾燥動作を行って吸着素子（81,82）に含まれる水分を急激に減少させることで、カビの菌糸を効率的に死滅させてカビの生育を確実に抑制している。
【０１１２】
この変形例では、吸着素子（81,82）の近傍に湿度センサ（91,92）を設け、その出力に基づいて乾燥動作の継続時間を調節するようにしてもよい。
【０１１３】
図１２に示すように、この場合には、第１上部流路（53）に第１湿度センサ（91）が設けられ、第２上部流路（55）に第２湿度センサ（92）が設けられる。第１湿度センサ（91）は、第１吸着素子（81）に近接した位置に配置され、第１吸着素子（81）の調湿側通路（85）における空気の湿度を検出する。第２湿度センサ（92）は、第２吸着素子（82）に近接した位置に配置され、第２吸着素子（82）の調湿側通路（85）における空気の湿度を検出する。第１湿度センサ（91）及び第２湿度センサ（92）は、それぞれが湿度検出手段を構成している。
【０１１４】
また、この場合には、調湿装置にコントローラ（95）が設けられる。このコントローラ（95）には、乾燥時間調節部（96）が設けられている。乾燥時間調節部（96）は、第１湿度センサ（91）及び第２湿度センサ（92）の検出値に応じて乾燥動作の継続時間を調節する制御手段を構成している。具体的に、乾燥時間調節部（96）は、予備動作中における第１湿度センサ（91）及び第２湿度センサ（92）の検出値と、乾燥動作中における第１湿度センサ（91）及び第２湿度センサ（92）の検出値とを比較し、これら検出値の減少率に応じて乾燥動作の継続時間を決定する。
【０１１５】
ここで、図１３に示すように、予備動作中と乾燥動作中とで吸着素子（81,82）における空気の湿度が大きく変化するほど、短時間でカビの菌糸が死滅するという現象が知られている。例えば、予備動作中における湿度センサ（91,92）の検出値が５０％であり、乾燥動作中における湿度センサ（91,92）の検出値が４０％である場合には、湿度減少率が４０/５０＝０.８となり、約２７分間に亘って乾燥動作を行えばカビの菌糸が死滅する。そこで、乾燥時間調節部（96）は、乾燥動作の継続時間を２７分間以上に設定する。また、予備動作中における湿度センサ（91,92）の検出値が５０％であり、乾燥動作中における湿度センサ（91,92）の検出値が２０％である場合には、湿度減少率が２０/５０＝０.４となり、約２分間に亘って乾燥動作を行えばカビの菌糸が死滅する。そこで、乾燥時間調節部（96）は、乾燥動作の継続時間を２分間以上に設定する。
【０１１６】
このように第１湿度センサ（91）及び第２湿度センサ（92）の検出値に応じて乾燥動作の継続時間を調節すれば、カビの菌糸を死滅させるために必要にして十分な時間だけ乾燥動作を行うことができ、吸着素子（81,82）におけるカビの生育を確実に抑制して調湿装置の信頼性を向上させることができる。
【０１１７】
《発明の実施形態２》
本発明の実施形態２について説明する。本実施形態の調湿装置は、除湿した空気を室内へ供給する除湿運転と、加湿した空気を室内へ供給する加湿運転とを切り換えて行うように構成されている。
【０１１８】
図１４に示すように、本実施形態の調湿装置は、直方体状で中空のケーシング（110）を備えている。このケーシング（110）は、その内部が排気側流路（115）と給気側流路（116）とに仕切られている。このケーシング（110）では、対向する一対の側面のうちの一方に排気口（112）と外気吸込口（111）とが並んで開口し、他方に内気吸込口（113）と給気口（114）とが並んで開口している。内気吸込口（113）は排気側流路（115）の入口端に、排気口（112）は排気側流路（115）の出口端にそれぞれ接続している。一方、外気吸込口（111）は給気側流路（116）の入口端に、給気口（114）は給気側流路（116）の出口端にそれぞれ接続している。
【０１１９】
ケーシング（110）の内部には、円板状に形成された吸着素子（120）が調湿用部材として設けられている。吸着素子（120）は、ハニカム状に形成されて厚み方向へ空気が通過可能に構成されており、通過する空気をゼオライト等の吸着剤と接触させる。吸着素子（120）は、排気側流路（115）と給気側流路（116）の両方を横断するように配置され、その中心軸周りに回転駆動される。
【０１２０】
ケーシング（110）内の排気側流路（115）において、吸着素子（120）の上流側には加熱器である第１熱交換器（121）が設置され、吸着素子（120）の下流側には排気ファン（125）が設置されている。ケーシング（110）内の給気側流路（116）において、吸着素子（120）の上流側には加熱器である第２熱交換器（122）が設置され、吸着素子（120）の下流側には給気ファン（126）が設置されている。第１熱交換器（121）及び第２熱交換器（122）は、それぞれが通過する空気を温水と熱交換させるように構成されている。
【０１２１】
−運転動作−
上記調湿装置の運転動作について、図１４(Ａ)を参照しながら説明する。この調湿装置は、除湿運転と加湿運転とを切り換えて行う。
【０１２２】
〈除湿運転〉
除湿運転時には、第１熱交換器（121）へ温水が供給され、第２熱交換器（122）が休止する。この除湿運転では、吸着素子（120）のうち給気側流路（116）を横断する部分についての吸着動作と、吸着素子（120）のうち排気側流路（115）を横断する部分についての再生動作とが同時に並行して行われる。
【０１２３】
給気ファン（126）を運転すると、外気吸込口（111）から給気側流路（116）へ室外空気が取り込まれる。取り込まれた室外空気は、休止中の第２熱交換器（122）を通過後に吸着素子（120）へ送られる。吸着素子（120）では、通過する室外空気中の水分が吸着剤に吸着される。吸着素子（120）で除湿された室外空気は、給気口（114）を通って室内へ供給される。
【０１２４】
排気ファン（125）を運転すると、内気吸込口（113）から排気側流路（115）へ室内空気が取り込まれる。取り込まれた室内空気は、第１熱交換器（121）を通過する間に加熱されてから吸着素子（120）へ送られる。排気側流路（115）へは、吸着素子（120）のうち給気側流路（116）を横断する間に水分を吸着した部分が移動してくる。この吸着素子（120）の部分に担持された吸着剤は、第１熱交換器（121）から供給された室内空気によって加熱され、この吸着剤から水分が脱離する。吸着剤から脱離した水分を付与された室内空気は、排気口（112）を通って室外へ排出される。また、吸着素子（120）のうち排気側流路（115）を横断する間に再生された部分は、給気側流路（116）へと移動してゆく。
【０１２５】
〈加湿運転〉
加湿運転時には、第２熱交換器（122）へ温水が供給され、第１熱交換器（121）が休止する。この加湿運転では、吸着素子（120）のうち排気側流路（115）を横断する部分についての吸着動作と、吸着素子（120）のうち給気側流路（116）を横断する部分についての再生動作とが同時に並行して行われる。
【０１２６】
排気ファン（125）を運転すると、内気吸込口（113）から排気側流路（115）へ室内空気が取り込まれる。取り込まれた室内空気は、休止中の第１熱交換器（121）を通過後に吸着素子（120）へ送られる。吸着素子（120）では、通過する室内空気中の水分が吸着剤に吸着される。吸着素子（120）に水分を奪われた室内空気は、排気口（112）を通って室外へ排出される。
【０１２７】
給気ファン（126）を運転すると、外気吸込口（111）から給気側流路（116）へ室外空気が取り込まれる。取り込まれた室外空気は、第２熱交換器（122）を通過する間に加熱されてから吸着素子（120）へ送られる。給気側流路（116）へは、吸着素子（120）のうち排気側流路（115）を横断する間に水分を吸着した部分が移動してくる。この吸着素子（120）の部分に担持された吸着剤は、第２熱交換器（122）から供給された室内空気によって加熱され、この吸着剤から水分が脱離する。吸着剤から脱離した水分を付与されて加湿された室内空気は、給気口（114）を通って室内へ供給される。また、吸着素子（120）のうち給気側流路（116）を横断する間に再生された部分は、排気側流路（115）へと移動してゆく。
【０１２８】
−停止する際の動作−
除湿運転又は加湿運転を停止する際に、上記調湿装置は、吸着素子（120）を乾燥させるための乾燥動作を予め行ってから停止する。この動作について、図１４(Ｂ)を参照しながら説明する。
【０１２９】
乾燥動作中には、排気ファン（125）を運転して吸気ファンを停止させ、第１熱交換器（121）へ温水を供給して第２熱交換器（122）を休止させる。この状態で、吸着素子（120）へは、排気側流路（115）へ取り込まれて第１熱交換器（121）で加熱された室内空気が供給される。このため、吸着素子（120）のうち排気側流路（115）を横断する部分の吸着剤が再生される。そして、吸着素子（120）を回転駆動すると、吸着素子（120）全体の吸着剤から水分が脱離して吸着素子（120）が乾燥状態となる。
【０１３０】
−実施形態２の効果−
本実施形態の調湿装置は、その運転を停止する前に予め乾燥動作を行って吸着素子（120）を乾燥させている。従って、本実施形態によれば、上記実施形態１と同様の効果が得られる。
【０１３１】
−実施形態２の変形例１−
本実施形態の調湿装置では、停止状態が所定時間に亘って継続する毎に乾燥動作を行うようにしてもよい。この場合、調湿装置には、コントローラ（130）が設けられる。このコントローラ（130）には、タイマー部（131）と乾燥動作制御部（132）とが設けられている。タイマー部（131）は、調湿装置が停止した時点からの経過時間を計測するタイマー手段を構成している。乾燥動作制御部（132）は、タイマー部（131）が計測した時間、即ち停止状態の継続時間が基準時間に達する毎に乾燥動作を行う制御手段を構成している。
【０１３２】
ここで、調湿装置の停止中には、室外空気や室内空気がケーシング（110）内へ侵入することがあり、室外空気や室内空気に含まれる水分が吸着素子（120）に吸着されるおそれがある。そこで、本変形例では、タイマー部（131）が計測した停止状態の継続時間が基準時間に達すると、乾燥動作を行って吸着素子（120）から水分を脱離させるようにしている。このため、本変形例によれば、調湿装置の停止中に室外空気や室内空気がケーシング（110）内へ侵入する場合であっても、吸着素子（120）を乾燥した状態に保持することができる。
【０１３３】
−実施形態２の変形例２−
本実施形態の調湿装置では、調湿装置の停止中に室外空気や室内空気がケーシング（110）内へ侵入するのを防止するためのダンパ（141〜144）を設けてもよい。図１６に示すように、この変形例の調湿装置では、ケーシング（110）内に４つのダンパ（141〜144）が設けられる。
【０１３４】
第１ダンパ（141）は、排気口（112）の近傍に設けられて排気口（112）を開閉する。第２ダンパ（142）は、外気吸込口（111）の近傍に設けられて外気吸込口（111）を開閉する。第３ダンパ（143）は、内気吸込口（113）の近傍に設けられて内気吸込口（113）を開閉する。第４ダンパ（144）は、給気口（114）の近傍に設けられて給気口（114）を開閉する。
【０１３５】
これら４つのダンパ（141〜144）は、遮断機構を構成している。この点について説明する。
【０１３６】
排気側流路（115）は、吸着素子（120）の上流側の部分が内気吸込口（113）に接続して室内側の空気流路を構成し、吸着素子（120）の下流側の部分が排気口（112）に接続して室外側の空気流路を構成する。そして、第３ダンパ（143）を閉じると、内気吸込口（113）から排気側流路（115）を通って吸着素子（120）へ向かう空気の流れが阻止され、第１ダンパ（141）を閉じると、排気口（112）から排気側流路（115）を通って吸着素子（120）へ向かう空気の流れが阻止される。
【０１３７】
一方、給気側流路（116）は、吸着素子（120）の上流側の部分が外気吸込口（111）に接続して室外側の空気流路を構成し、吸着素子（120）の下流側の部分が給気口（114）に接続して室内側の空気流路を構成する。そして、第２ダンパ（142）を閉じると、外気吸込口（111）から給気側流路（116）を通って吸着素子（120）へ向かう空気の流れが阻止され、第４ダンパ（144）を閉じると、給気口（114）から給気側流路（116）を通って吸着素子（120）へ向かう空気の流れが阻止される。
【０１３８】
除湿運転中や加湿運転中には、図１６(Ａ)に示すように、４つのダンパ（141〜144）が全て開状態に設定される。乾燥動作中には、図１６(Ｂ)に示すように、第１ダンパ（141）及び第３ダンパ（143）が開状態となり、第２ダンパ（142）及び第４ダンパ（144）が閉状態となる。乾燥動作が終了すると、図１６(Ｃ)に示すように、排気ファン（125）が停止し、第１ダンパ（141）及び第３ダンパ（143）が閉じられる。この状態では、ケーシング（110）の内部が室外と室内の両方から隔離された状態となり、ケーシング（110）内への室外空気や室内空気の侵入が阻止される。従って、調湿装置の停止中においても、吸着素子（120）を乾燥状態に保持することができる。
【０１３９】
《発明の実施形態３》
本発明の実施形態３について説明する。本実施形態の調湿装置は、室内の換気を行うと共に、室外へ排出される空気を利用して室内へ供給される空気の湿度を調節するように構成されている。
【０１４０】
図１７に示すように、本実施形態の調湿装置は、直方体状で中空のケーシング（210）を備えている。このケーシング（210）では、対向する一対の側面のうちの一方に排気口（212）と外気吸込口（211）とが並んで開口し、他方に内気吸込口（213）と給気口（214）とが並んで開口している。ケーシング（210）の内部には、内気吸込口（213）に連通する第１排気側流路（215）と、排気口（212）に連通する第２排気側流路（216）と、外気吸込口（211）に連通する第１給気側流路（217）と、給気口（214）に連通する第２給気側流路（218）とが形成されている。第２排気側流路（216）には排気ファン（225）が設置され、第２給気側流路（218）には給気ファン（226）が設置されている。
【０１４１】
ケーシング（210）内には、調湿用部材である全熱交換器（220）が収納されている。この全熱交換器（220）は、室内空気の流れる空気通路と室外空気の流れる空気通路とが複数ずつ備え、室内空気と室外空気の間で熱と水分の授受を行わせるように構成されている。また、全熱交換器（220）は、全体形状が四角柱状に形成されており、その長手方向に延びる側面のうち対向する２つの側面に室内空気の流れる空気通路が、残りの２つの側面に  室外空気の流れる空気通路がそれぞれ開口している。そして、全熱交換器（220）は、室内空気の流れる空気通路が第１排気側流路（215）及び第２排気側流路（216）に連通し、室外空気の流れる空気通路が第１給気側流路（217）及び第２給気側流路（218）に連通する姿勢で設置されている。
【０１４２】
−運転動作−
この調湿装置の運転動作について説明する。
【０１４３】
排気ファン（225）及び給気ファン（226）を運転すると、外気吸込口（211）から取り込まれた室外空気と、内気吸込口（213）から取り込まれた室内空気とが全熱交換器（220）へ送り込まれる。全熱交換器（220）では、送り込まれた室外空気と室内空気の間で熱と水分の授受が行われる。
【０１４４】
例えば、冬季に室内を暖房している場合は、室内空気に比べて室外空気が低温で乾燥した状態となる。従って、この場合、全熱交換器（220）では、室内空気中の熱と水分が室外空気へ移動する。そして、全熱交換器（220）で加熱されると同時に加湿された室外空気が室内へ供給される一方、全熱交換器（220）を通過した室内空気が室外へ排出される。
【０１４５】
一方、夏季に室内を冷房している場合は、室内空気に比べて室外空気は高温で湿った状態となる。従って、この場合、全熱交換器（220）では、室外空気中の熱と水分が室内空気へ移動する。そして、全熱交換器（220）で冷却されると同時に除湿された室外空気が室内へ供給される一方、全熱交換器（220）を通過した室内空気が室外へ排出される。
【０１４６】
−停止する際の動作−
運転を停止する際に、上記調湿装置は、全熱交換器（220）を乾燥させるための乾燥動作を予め行ってから停止する。具体的に、この調湿装置は、室外空気と室内空気の何れか一方だけを全熱交換器（220）へ供給する動作を乾燥動作として行う。
【０１４７】
例えば、冬季に室内を暖房している場合は、室内空気に比べて室外空気が低温で絶対湿度の低い状態となる。このような場合、調湿装置は、絶対湿度の低い室外空気だけを全熱交換器（220）へ供給する動作を乾燥動作として行う。つまり、比較的乾燥した室外空気だけを全熱交換器（220）へ供給することで、全熱交換器（220）が保持する水分の量を削減する。
【０１４８】
一方、夏季に室内を冷房している場合は、室内空気に比べて室外空気は高温で絶対湿度の高い状態となる。このような場合、調湿装置は、絶対湿度の低い室内空気だけを全熱交換器（220）へ供給する動作を乾燥動作として行う。つまり、比較的乾燥した室内空気だけを全熱交換器（220）へ供給することで、全熱交換器（220）が保持する水分の量を削減する。
【０１４９】
−実施形態３の効果−
本実施形態の調湿装置は、その運転を停止する前に予め乾燥動作を行って全熱交換器（220）を乾燥させている。従って、本実施形態によれば、上記実施形態１と同様の効果が得られる。つまり、全熱交換器（220）でのカビの生育を抑制することができ、調湿用部材である全熱交換器（220）の寿命を延ばすことができる。
【０１５０】
−実施形態３の変形例１−
本実施形態の調湿装置では、調湿装置の停止中に室外空気がケーシング（210）内へ侵入するのを防止するためのダンパ（231,232）を設けてもよい。図１８に示すように、この変形例の調湿装置では、ケーシング（210）内に２つのダンパ（231,232）が設けられる。
【０１５１】
第１ダンパ（231）は、排気口（212）の近傍に設けられており、この排気口（212）を開閉する。第２ダンパ（232）は、外気吸込口（211）の近傍に設けられており、この外気吸込口（211）を開閉する。
【０１５２】
これら２つのダンパ（231,232）は、遮断機構を構成している。つまり、第１ダンパ（231）を閉じると、室外側の空気流路である第２排気側流路（216）を通って全熱交換器（220）へ向かう空気の流れが阻止される。また、第２ダンパ（232）を閉じると、室外側の空気流路である第１給気側流路（217）を通って全熱交換器（220）へ向かう空気の流れが阻止される。
【０１５３】
運転中には、図１８(Ａ)に示すように、第１ダンパ（231）及び第２ダンパ（232）が開状態に設定される。一方、停止中には、図１８(Ｂ)に示すように、第１ダンパ（231）及び第２ダンパ（232）が閉状態となる。この状態では、ケーシング（210）の内部が室外から隔離された状態となり、ケーシング（210）内への室外空気の侵入が阻止される。従って、調湿装置の停止中においても、吸着素子（120）を乾燥状態に保持することができる。
【０１５４】
この変形例では、図１９に示すように、ケーシング（210）内にダンパ（233,234）を更に２つ追加してもよい。具体的に、第３ダンパ（233）は、内気吸込口（213）の近傍に設けられており、この内気吸込口（213）を開閉する。第４ダンパ（234）は、給気口（214）の近傍に設けられており、この給気口（214）を開閉する。
【０１５５】
第３ダンパ（233）及び第４ダンパ（234）は、第１ダンパ（231）及び第２ダンパ（232）と共に遮断機構を構成する。つまり、第３ダンパ（233）を閉じると、室内側の空気流路である第１排気側流路（215）を通って全熱交換器（220）へ向かう空気の流れが阻止される。また、第４ダンパ（234）を閉じると、室内側の空気流路である第２給気側流路（218）を通って全熱交換器（220）へ向かう空気の流れが阻止される。
【０１５６】
この場合、運転中には、図１９(Ａ)に示すように、４つのダンパ（231〜234）全てが開状態に設定される。一方、停止中には、図１９(Ｂ)に示すように、４つのダンパ（231〜234）全てが閉状態となる。この状態では、ケーシング（210）の内部が室外と室内の両方から隔離された状態となり、ケーシング（210）内への室外空気や室内空気の侵入が阻止される。従って、調湿装置の停止中においても、吸着素子（120）を乾燥状態に保持することができる。
【０１５７】
また、ケーシング（210）内に４つのダンパ（231〜234）を設ける場合には、図２０に示すように、各ダンパ（231〜234）を全熱交換器（220）の近傍に配置してもよい。第１ダンパ（231）は、第２排気側流路（216）に面する全熱交換器（220）の側面に沿って配置され、第２排気側流路（216）と全熱交換器（220）の間を遮断する。第２ダンパ（232）は、第１給気側流路（217）に面する全熱交換器（220）の側面に沿って配置され、第１給気側流路（217）と全熱交換器（220）の間を遮断する。第３ダンパ（233）は、第１排気側流路（215）に面する全熱交換器（220）の側面に沿って配置され、第１排気側流路（215）と全熱交換器（220）の間を遮断する。第４ダンパ（234）は、第２給気側流路（218）に面する全熱交換器（220）の側面に沿って配置され、第２給気側流路（218）と全熱交換器（220）の間を遮断する。そして、運転中には、図２０(Ａ)に示すように４つのダンパ（231〜234）全てが開状態に設定され、停止中には、図２０(Ｂ)に示すように４つのダンパ（231〜234）全てが閉状態に設定される。
【０１５８】
−実施形態３の変形例２−
本実施形態の調湿装置では、調湿用部材としての加湿エレメント（221）を追加するようにしてもよい。図２１に示すように、加湿エレメント（221）は、第２給気側流路（218）における給気ファン（226）の下流側に配置されている。加湿エレメント（221）は、透湿膜を介して、あるいは直接に水と空気を接触させ、通過する空気を加湿するように構成されている。
【０１５９】
室内へ供給する空気を加湿する場合には、この加湿エレメント（221）へ水道水などを供給する。この場合、全熱交換器（220）を通過して第２給気側流路（218）を流れる空気は、加湿エレメント（221）を通過する際に加湿されてから給気口（214）を通って室内へ供給される。
【０１６０】
この調湿装置は、全熱交換器（220）を乾燥させるための動作だけでなく、加湿エレメント（221）を乾燥させるための動作をも乾燥動作として行う。全熱交換器（220）を乾燥させるための動作は、上述の通りである。つまり、室内空気と室外空気のうち比較的湿度の低い方だけを全熱交換器（220）へ供給し、これによって全熱交換器（220）を乾燥させる。一方、加湿エレメント（221）を乾燥させるための動作としては、加湿エレメント（221）から排水すると共に給気ファン（226）だけを運転する動作が行われる。給気ファン（226）だけを運転すると、ケーシング（210）内に取り込まれた室外空気が加湿エレメント（221）を通過し、これによって加湿エレメント（221）を乾燥させる。尚、室内空気よりも室外空気の方が乾燥している状態では、給気ファン（226）を運転する動作だけで全熱交換器（220）と加湿エレメント（221）の両方を乾燥させることができる。
【０１６１】
この変形例の調湿装置には、図２２に示すように、開閉ダンパ（222）を追加してもよい。この開閉ダンパ（222）は、第１排気側流路（215）と第２排気側流路（216）を区分する仕切板に設けられ、第１排気側流路（215）と第２排気側流路（216）の間を断続する。室内の換気を行う通常動作中や全熱交換器（220）を乾燥させる乾燥動作中には、図２２(Ａ)に示すように、開閉ダンパ（222）が閉状態となり、第１排気側流路（215）と第２排気側流路（216）の間が仕切られる。一方、加湿エレメント（221）を乾燥させる乾燥動作中には、図２２(Ｂ)に示すように、開閉ダンパ（222）が開状態となり、第１排気側流路（215）と第２排気側流路（216）が連通する。この状態で給気ファン（226）だけが運転され、ケーシング（210）内に取り込まれた室内空気が開閉ダンパ（222）を通過して加湿エレメント（221）へ送られ、それによって加湿エレメント（221）を乾燥させる。
【０１６２】
また、この変形例の調湿装置には、図２３に示すように、加熱用熱交換器（223）を追加してもよい。この加熱用熱交換器（223）は、第２給気側流路（218）における給気ファン（226）と加湿エレメント（221）の間に設置されている。また、加熱用熱交換器（223）は、冷凍サイクルを行う冷媒回路に接続されており、冷媒と空気を熱交換させることで凝縮器として機能する。
【０１６３】
加熱用熱交換器（223）を備える調湿装置において、室内へ供給する空気を加湿する場合には、加湿エレメント（221）へ水道水が供給され、加熱用熱交換器（223）が凝縮器となる。この場合、全熱交換器（220）を通過して第２給気側流路（218）を流れる空気は、加熱用熱交換器（223）を通過する際に加熱され、続いて加湿エレメント（221）を通過する際に加湿されてから給気口（214）を通って室内へ供給される。
【０１６４】
加熱用熱交換器（223）を備える調湿装置において、全熱交換器（220）を乾燥させるための動作は、上述の通りである。つまり、室内空気と室外空気のうち比較的湿度の低い方だけを全熱交換器（220）へ供給し、これによって全熱交換器（220）を乾燥させる。一方、加湿エレメント（221）を乾燥させるための動作としては、加湿エレメント（221）から排水すると共に給気ファン（226）だけを運転し且つ加熱用熱交換器（223）で冷媒を凝縮させる動作が行われる。この状態では、ケーシング（210）内に取り込まれた室外空気が加熱用熱交換器（223）で加熱されてから加湿エレメント（221）を通過し、これによって加湿エレメント（221）を乾燥させる。
【０１６５】
また、この変形例の調湿装置には、図２４に示すように、停止中に室外空気や室内空気が侵入するのを阻止するための遮断機構を設けてもよい。この遮断機構は、上記変形例１の場合と同様に、４つのダンパ（231〜234）によって構成される。第１ダンパ（231）は、排気口（212）の近傍に設けられて排気口（212）を開閉する。第２ダンパ（232）は、外気吸込口（211）の近傍に設けられて外気吸込口（211）を開閉する。第３ダンパ（233）は、内気吸込口（213）の近傍に設けられて内気吸込口（213）を開閉する。第４ダンパ（234）は、給気口（214）の近傍に設けられて給気口（214）を開閉する。そして、調湿装置の停止中は、これら４つのダンパ（231〜234）全てを閉状態に設定し、全熱交換器（220）及び加湿エレメント（221）を室外及び室内から隔離する。
【０１６６】
《発明の実施形態４》
本発明の実施形態４について説明する。本実施形態の調湿装置は、除湿した空気を室内へ供給する除湿運転と、加湿した空気を室内へ供給する加湿運転とを切り換えて行うように構成されている。尚、ここでの説明で用いる「上」「下」「左」「右」「前」「後」「手前」「奥」は、何れも本実施形態の調湿装置を前面側から見た場合のものを意味している。
【０１６７】
〈調湿装置の全体構成〉
図２４に示すように、本実施形態の調湿装置は、ケーシング（310）を備えている。このケーシング（310）には、冷媒回路（350）が収納されている。この冷媒回路（350）には、第１吸着熱交換器（241）、第２吸着熱交換器（242）、圧縮機（240）などが設けられている。冷媒回路（350）の詳細については後述する。
【０１６８】
上記ケーシング（310）は、高さの低い扁平な直方体状に形成されている。ケーシング（310）の前面では、右寄りの位置に排気口（314）が、左寄りの位置に給気口（312）がそれぞれ開口している。ケーシング（310）の背面では、右寄りの位置に外気吸込口（311）が、左寄りの位置に内気吸込口（313）がそれぞれ開口している。
【０１６９】
ケーシング（310）の内部空間は、前面側と背面側の２つに仕切られている。ケーシング（310）内の前面側の空間は、更に左右に３つに仕切られている。そのうち、右側の空間は排気側流路（325）を構成し、左側の空間は給気側流路（326）を構成する一方、中央の空間は内部に圧縮機（340）が収納されている。排気側流路（325）は、内部に排気ファン（345）が収納されると共に、排気口（314）を介して室外に連通している。給気側流路（326）は、内部に給気ファン（346）が収納されると共に、給気口（312）を介して室内に連通している。
【０１７０】
ケーシング（310）内の背面側の空間もまた、左右に３つに仕切られている。そのうち、右側の空間は、上下に仕切られており、上側の空間が右上流路（321）を、下側の空間が右下流路（322）をそれぞれ構成している。右上流路（321）は、排気側流路（325）に連通している。右下流路（322）は、外気吸込口（311）を介して室外に連通している。右上流路（321）及び右下流路（322）は、室外に連通する室外側の空気流路を構成している。一方、左側の空間は、上下に仕切られており、上側の空間が左上流路（323）を、下側の空間が左下流路（324）をそれぞれ構成している。左上流路（323）は、給気側流路（326）に連通している。左下流路（324）は、内気吸込口（313）を介して室内に連通している。左上流路（323）及び左下流路（324）は、室内に連通する室内側の空気流路を構成している。
【０１７１】
左右に仕切られたケーシング（310）内の背面側の空間のうち、中央の空間は、前後に仕切られている。この前後に仕切られた中央の空間のうち、前面側の空間には第１吸着熱交換器（341）が、背面側の空間には第２吸着熱交換器（342）がそれぞれ収納されている。第１吸着熱交換器（341）及び第２吸着熱交換器（342）は、収納された空間を上下に仕切るように、ほぼ水平姿勢で設置されている。
【０１７２】
ケーシング（310）内の背面側を左右に仕切る２枚の仕切板には、それぞれに開閉式のダンパ（331〜338）が４つずつ設けられている。
【０１７３】
右側の仕切板において、その上部には第１右上ダンパ（331）と第２右上ダンパ（332）が並んで設置され、その下部には第１右下ダンパ（333）と第２右下ダンパ（334）が並んで設置される。第１右上ダンパ（331）は、第１吸着熱交換器（341）の上側の空間と右上流路（321）の間を断続する。第２右上ダンパ（332）は、第２吸着熱交換器（342）の上側の空間と右上流路（321）の間を断続する。第１右下ダンパ（333）は、第１吸着熱交換器（341）の下側の空間と右下流路（322）の間を断続する。第２右下ダンパ（334）は、第２吸着熱交換器（342）の下側の空間と右下流路（322）の間を断続する。
【０１７４】
第１右上ダンパ（331）、第２右上ダンパ（332）、第１右下ダンパ（333）、及び第２右下ダンパ（334）は、室外側の空気流路である右上流路（321）及び右下流路（322）から第１，第２吸着熱交換器（341,342）への空気の流入を遮断する遮断機構を構成している。
【０１７５】
左側の仕切板において、その上部には第１左上ダンパ（335）と第２左上ダンパ（336）が並んで設置され、その下部には第１左下ダンパ（337）と第２左下ダンパ（338）が並んで設置される。第１左上ダンパ（335）を開くと左上流路（323）が第１吸着熱交換器（341）の上側の空間と連通し、第２左上ダンパ（336）を開くと左上流路（323）が第２吸着熱交換器（342）の上側の空間と連通する。第１左下ダンパ（337）を開くと左下流路（324）が第１吸着熱交換器（341）の下側の空間と連通し、第２左下ダンパ（338）を開くと左下流路（324）が第２吸着熱交換器（342）の下側の空間と連通する。
【０１７６】
第１左上ダンパ（335）、第２左上ダンパ（336）、第１左下ダンパ（337）、及び第２左下ダンパ（338）は、室内側流路である左上流路（323）及び左下流路（324）から第１，第２吸着熱交換器（341,342）への空気の流入を遮断する遮断機構を構成している。
【０１７７】
〈冷媒回路の構成〉
図２５に示すように、上記冷媒回路（350）には、圧縮機（340）と、第１吸着熱交換器（341）と、第２吸着熱交換器（342）とが設けられている。また、冷媒回路（350）には、電動膨張弁（352）と四方切換弁（351）とが設けられている。
【０１７８】
上記冷媒回路（350）において、圧縮機（340）は、その吐出側が四方切換弁（351）の第１のポートに、その吸入側が四方切換弁（351）の第２のポートにそれぞれ接続されている。また、この冷媒回路（350）では、四方切換弁（351）の第３のポートから第４のポートへ向かって順に、第１吸着熱交換器（341）と電動膨張弁（352）と第２吸着熱交換器（342）とが直列に配置されている。
【０１７９】
第１吸着熱交換器（341）及び第２吸着熱交換器（342）は、何れも伝熱管と多数のフィンとで構成されたクロスフィン形のフィン・アンド・チューブ熱交換器である。第１，第２吸着熱交換器（341,342）では、そのフィンの表面に吸着剤が担持されている。これら吸着熱交換器（341,342）では、フィンの間を通過する空気がフィン表面の吸着剤と接触する。尚、吸着剤としては、ゼオライトやシリカゲル等が用いられる。第１吸着熱交換器（341）及び第２吸着熱交換器（342）は、何れも吸着剤から脱離した水分を空気へ付与可能な調湿用部材を構成している。
【０１８０】
上記四方切換弁（351）は、第１のポートと第３のポートが互いに連通して第２のポートと第４のポートが互いに連通する第１状態（図２５(Ａ)に示す状態）と、第１のポートと第４のポートが互いに連通して第２のポートと第３ポートが互いに連通する第２状態（図２５(Ｂ)に示す状態）とに切り換わる。
【０１８１】
−運転動作−
本実施形態の調湿装置では、除湿運転と加湿運転とが行われる。
【０１８２】
〈除湿運転〉
除湿運転時の動作について、図２５，図２６，図２７を参照しながら説明する。除湿運転中には、第１動作と第２動作とが交互に繰り返される。
【０１８３】
除湿運転時において、給気ファン（346）を運転すると、室外空気が外気吸込口（311）からケーシング（310）内へ第１空気として取り込まれる。また、排気ファン（345）を運転すると、室内空気が内気吸込口（313）からケーシング（310）内へ第２空気として取り込まれる。
【０１８４】
除湿運転時の第１動作について説明する。この第１動作では、第２吸着熱交換器（342）についての吸着動作と、第１吸着熱交換器（341）についての再生動作とが行われる。
【０１８５】
この第１動作中において、冷媒回路（350）では、図２５(Ａ)に示すように、四方切換弁（351）が第１状態に設定され、電動膨張弁（352）の開度が適宜調節される。この状態で圧縮機（340）を運転すると、冷媒回路（350）では冷媒が循環して冷凍サイクルが行われ、第１吸着熱交換器（341）が凝縮器となって第２吸着熱交換器（342）が蒸発器となる。つまり、圧縮機（340）から吐出された冷媒は、第１吸着熱交換器（341）で放熱して凝縮し、電動膨張弁（352）で減圧されてから第２吸着熱交換器（342）で吸熱して蒸発し、続いて圧縮機（340）へ吸入されて圧縮される。
【０１８６】
また、この第１動作中には、図２６に示すように、第１右上ダンパ（331）及び第２右下ダンパ（334）が開状態となり、第１右下ダンパ（333）及び第２右上ダンパ（332）が閉状態となる。また、第１左下ダンパ（337）及び第２左上ダンパ（336）が開状態となり、第１左上ダンパ（335）及び第２左下ダンパ（338）が閉状態となる。
【０１８７】
外気吸込口（311）から右下流路（322）へ流入した第１空気は、第２右下ダンパ（334）を通って第２吸着熱交換器（342）の下側へ流入し、第２吸着熱交換器（342）を下から上へ向かって通過する。第２吸着熱交換器（342）では、第１空気中の水分が吸着剤に吸着されて第１空気が除湿され、その際に生じた吸着熱が冷媒に吸熱される。第２吸着熱交換器（342）で除湿された第１空気は、第２左上ダンパ（336）を通って左上流路（323）へ流入し、給気側流路（326）を通過後に給気口（312）から室内へ供給される。
【０１８８】
内気吸込口（313）から左下流路（324）へ流入した第２空気は、第１左下ダンパ（337）を通って第１吸着熱交換器（341）の下側へ流入し、第１吸着熱交換器（341）を下から上へ向かって通過する。第１吸着熱交換器（341）では、冷媒で加熱された吸着剤から水分が脱離し、この脱離した水分が第２空気に付与される。第１吸着熱交換器（341）から脱離した水分は、第２空気と共に第１右上ダンパ（331）を通って右上流路（321）へ流入し、排気側流路（325）を通過後に排気口（314）から室外へ排出される。
【０１８９】
除湿運転時の第２動作について説明する。この第２動作では、第１吸着熱交換器（341）についての吸着動作と、第２吸着熱交換器（342）についての再生動作とが行われる。
【０１９０】
この第２動作中において、冷媒回路（350）では、図２５(Ｂ)に示すように、四方切換弁（351）が第２状態に設定され、電動膨張弁（352）の開度が適宜調節される。この状態で圧縮機（340）を運転すると、冷媒回路（350）では冷媒が循環して冷凍サイクルが行われ、第２吸着熱交換器（342）が凝縮器となって第１吸着熱交換器（341）が蒸発器となる。つまり、圧縮機（340）から吐出された冷媒は、第２吸着熱交換器（342）で放熱して凝縮し、電動膨張弁（352）で減圧されてから第１吸着熱交換器（341）で吸熱して蒸発し、続いて圧縮機（340）へ吸入されて圧縮される。
【０１９１】
また、この第２動作中には、図２７に示すように、第１右下ダンパ（333）及び第２右上ダンパ（332）が開状態となり、第１右上ダンパ（331）及び第２右下ダンパ（334）が閉状態となる。また、第１左上ダンパ（335）及び第２左下ダンパ（338）が開状態となり、第１左下ダンパ（337）及び第２左上ダンパ（336）が閉状態となる。
【０１９２】
外気吸込口（311）から右下流路（322）へ流入した第１空気は、第１右下ダンパ（333）を通って第１吸着熱交換器（341）の下側へ流入し、第１吸着熱交換器（341）を下から上へ向かって通過する。第１吸着熱交換器（341）では、第１空気中の水分が吸着剤に吸着されて第１空気が除湿され、その際に生じた吸着熱が冷媒に吸熱される。第１吸着熱交換器（341）で除湿された第１空気は、第１左上ダンパ（335）を通って左上流路（323）へ流入し、給気側流路（326）を通過後に給気口（312）から室内へ供給される。
【０１９３】
内気吸込口（313）から左下流路（324）へ流入した第２空気は、第２左下ダンパ（338）を通って第２吸着熱交換器（342）の下側へ流入し、第２吸着熱交換器（342）を下から上へ向かって通過する。第２吸着熱交換器（342）では、冷媒で加熱された吸着剤から水分が脱離し、この脱離した水分が第２空気に付与される。第２吸着熱交換器（342）から脱離した水分は、第２空気と共に第２右上ダンパ（332）を通って右上流路（321）へ流入し、排気側流路（325）を通過後に排気口（314）から室外へ排出される。
【０１９４】
〈加湿運転〉
加湿運転時の動作について、図２５，図２８，図２９を参照しながら説明する。加湿運転中には、第１動作と第２動作とが交互に繰り返される。
【０１９５】
加湿運転時において、給気ファン（346）を運転すると、室外空気が外気吸込口（311）からケーシング（310）内へ第２空気として取り込まれる。また、排気ファン（345）を運転すると、室内空気が内気吸込口（313）からケーシング（310）内へ第１空気として取り込まれる。
【０１９６】
加湿運転時の第１動作について説明する。この第１動作では、第２吸着熱交換器（342）についての吸着動作と、第１吸着熱交換器（341）についての再生動作とが行われる。
【０１９７】
この第１動作中において、冷媒回路（350）では、図２５(Ａ)に示すように、四方切換弁（351）が第１状態に設定され、電動膨張弁（352）の開度が適宜調節される。この状態で圧縮機（340）を運転すると、冷媒回路（350）では冷媒が循環して冷凍サイクルが行われ、除湿運転時の第１動作中と同様に、第１吸着熱交換器（341）が凝縮器となって第２吸着熱交換器（342）が蒸発器となる。
【０１９８】
また、この第１動作中には、図２８に示すように、第１右下ダンパ（333）及び第２右上ダンパ（332）が開状態となり、第１右上ダンパ（331）及び第２右下ダンパ（334）が閉状態となる。また、第１左上ダンパ（335）及び第２左下ダンパ（338）が開状態となり、第１左下ダンパ（337）及び第２左上ダンパ（336）が閉状態となる。
【０１９９】
内気吸込口（313）から左下流路（324）へ流入した第１空気は、第２左下ダンパ（338）を通って第２吸着熱交換器（342）の下側へ流入し、第２吸着熱交換器（342）を下から上へ向かって通過する。第２吸着熱交換器（342）では、第１空気中の水分が吸着剤に吸着されて第１空気が除湿され、その際に生じた吸着熱が冷媒に吸熱される。第２吸着熱交換器（342）で水分を奪われた第１空気は、第２右上ダンパ（332）を通って右上流路（321）へ流入し、排気側流路（325）を通過後に排気口（314）から室外へ排出される。
【０２００】
外気吸込口（311）から右下流路（322）へ流入した第２空気は、第１右下ダンパ（333）を通って第１吸着熱交換器（341）の下側へ流入し、第１吸着熱交換器（341）を下から上へ向かって通過する。第１吸着熱交換器（341）では、冷媒で加熱された吸着剤から水分が脱離し、この脱離した水分が第２空気に付与される。第１吸着熱交換器（341）で加湿された第２空気は、第１左上ダンパ（335）を通って左上流路（323）へ流入し、給気側流路（326）を通過後に給気口（312）から室内へ供給される。
【０２０１】
加湿運転時の第２動作について説明する。この第２動作では、第１吸着熱交換器（341）についての吸着動作と、第２吸着熱交換器（342）についての再生動作とが行われる。
【０２０２】
この第２動作中において、冷媒回路（350）では、図２５(Ｂ)に示すように、四方切換弁（351）が第２状態に設定され、電動膨張弁（352）の開度が適宜調節される。この状態で圧縮機（340）を運転すると、冷媒回路（350）では冷媒が循環して冷凍サイクルが行われ、除湿運転時の第２動作中と同様に、第２吸着熱交換器（342）が凝縮器となって第１吸着熱交換器（341）が蒸発器となる。
【０２０３】
また、この第２動作中には、図２９に示すように、第１右上ダンパ（331）及び第２右下ダンパ（334）が開状態となり、第１右下ダンパ（333）及び第２右上ダンパ（332）が閉状態となる。また、第１左下ダンパ（337）及び第２左上ダンパ（336）が開状態となり、第１左上ダンパ（335）及び第２左下ダンパ（338）が閉状態となる。
【０２０４】
内気吸込口（313）から左下流路（324）へ流入した第１空気は、第１左下ダンパ（337）を通って第１吸着熱交換器（341）の下側へ流入し、第１吸着熱交換器（341）を下から上へ向かって通過する。第１吸着熱交換器（341）では、第１空気中の水分が吸着剤に吸着されて第１空気が除湿され、その際に生じた吸着熱が冷媒に吸熱される。第１吸着熱交換器（341）で水分を奪われた第１空気は、第１右上ダンパ（331）を通って右上流路（321）へ流入し、排気側流路（325）を通過後に排気口（314）から室外へ排出される。
【０２０５】
外気吸込口（311）から右下流路（322）へ流入した第２空気は、第２右下ダンパ（334）を通って第２吸着熱交換器（342）の下側へ流入し、第２吸着熱交換器（342）を下から上へ向かって通過する。第２吸着熱交換器（342）では、冷媒で加熱された吸着剤から水分が脱離し、この脱離した水分が第２空気に付与される。第２吸着熱交換器（342）で加湿された第２空気は、第２左上ダンパ（336）を通って左上流路（323）へ流入し、給気側流路（326）を通過後に給気口（312）から室内へ供給される。
【０２０６】
−停止する際の動作−
除湿運転又は加湿運転を停止する際に、上記調湿装置は、吸着熱交換器（341,342）を乾燥させるための乾燥動作を予め行ってから停止する。この乾燥動作について、除湿運転又は加湿運転の第１動作中の状態から乾燥動作が開始される場合を例に説明する。
【０２０７】
この場合の乾燥動作中には、圧縮機（340）が停止して冷媒回路（350）での冷媒循環が停止する。また、図３０に示すように、この乾燥動作中には、第２右上ダンパ（332）及び第２右下ダンパ（334）が開状態となり、第１右上ダンパ（331）、第１右下ダンパ（333）、第１左上ダンパ（335）、第２左上ダンパ（336）、第１左下ダンパ（337）、及び第２左下ダンパ（338）が閉状態となる。また、この乾燥動作中には、給気ファン（346）が停止し、排気ファン（345）の運転が継続される。
【０２０８】
この乾燥動作中には、冷媒回路（350）での冷凍サイクルが停止した状態で、第２吸着熱交換器（342）へ室外空気が供給される。ここで、第１動作中に蒸発器となっていた第２吸着熱交換器（342）には比較的多量の水分が吸着されており、また、この第２吸着熱交換器（342）には空気中の水分が凝縮して付着しているおそれもある。そこで、乾燥動作中には、第２吸着熱交換器（342）における吸着剤の冷却を停止した状態で、第２吸着熱交換器（342）へ室外空気を供給する。第２吸着熱交換器（342）に吸着されたていた水分は、吸着剤から脱離して室外空気と共に室外へ排出される。また、第２吸着熱交換器（342）に凝縮水が付着している場合、この凝縮水は蒸発して室外空気と共に室外へ排出される。
【０２０９】
この乾燥動作中には、第１吸着熱交換器（341）への空気の流入が遮断された状態となる。第１動作中に凝縮器となっていた第１吸着熱交換器（341）は、既に充分に乾燥した状態になっている。そこで、この第１吸着熱交換器（341）への空気の流入を遮断することで、乾燥動作中も第１吸着熱交換器（341）を乾燥状態に保持する。
【０２１０】
この乾燥動作が終了すると、調湿装置では、排気ファン（345）が停止され、第２右上ダンパ（332）及び第２右下ダンパ（334）が閉じられる。つまり、全てのダンパ（331〜334,335〜338）が閉状態となる。そして、調湿装置の停止中も第１吸着熱交換器（341）及び第２吸着熱交換器（342）への空気の流入が遮断され、第１吸着熱交換器（341）及び第２吸着熱交換器（342）が乾燥状態に保持される。
【０２１１】
このように、上記乾燥動作では、冷媒回路（350）での冷凍サイクルを停止させると共に、乾燥動作の開始直前に蒸発器となっていた第１吸着熱交換器（341）へ室外空気を送っている。このため、乾燥動作の開始前に凝縮器となっていて既に乾燥している第２吸着熱交換器（342）だけでなく、第１吸着熱交換器（341）も乾燥させることができ、カビの発生等に起因する吸着熱交換器（341,342）の劣化を抑制することができる。
【０２１２】
尚、第２動作中の状態から開始された乾燥動作では、第１右上ダンパ（331）及び第１右下ダンパ（333）だけが開かれて残りのダンパ（332,334,335〜338）を閉鎖され、第１吸着熱交換器（341）だけへ室外空気が供給される。
【０２１３】
−実施形態４の変形例−
本実施形態の調湿装置では、乾燥動作として次のような動作を行ってもよい。
【０２１４】
本変形例の乾燥動作中には、前段動作と後段動作とが順に行われる。この乾燥動作について、除湿運転又は加湿運転の第１動作中の状態から乾燥動作が開始される場合を例に説明する。
【０２１５】
この前段動作では、四方切換弁（351）が第１状態（図２５(Ａ)に示す状態）から第２状態（図２５(Ｂ)に示す状態）に切り換わり、冷媒回路（350）での冷媒循環方向が反転する。また、冷媒回路（350）では、電動膨張弁（352）がほぼ全開状態となり、乾燥動作の開始前に比べて冷凍サイクルの低圧、即ち冷媒蒸発温度が高く設定される。更に、冷媒回路（350）では、圧縮機（340）の容量が最小に設定される。
【０２１６】
この前段動作中の調湿装置における空気の流通経路は、除湿運転又は加湿運転の第２動作中と同じ状態に設定される。つまり、除湿運転を行っていた場合には、各ダンパ（331〜338）が除湿運転時の第２動作と同じ状態に設定され、室外空気が第１吸着熱交換器（341）へ、室内空気が第２吸着熱交換器（342）へそれぞれ供給される（図２７参照）。また、加湿運転を行っていた場合には、各ダンパ（331〜338）が加湿運転時の第２動作と同じ状態に設定され、室内空気が第１吸着熱交換器（341）へ、室外空気が第２吸着熱交換器（342）へそれぞれ供給される（図２９参照）。
【０２１７】
この前段動作中には、圧縮機（340）から吐出された冷媒が第２吸着熱交換器（342）へ送り込まれ、第２吸着熱交換器（342）を通過後に電動膨張弁（352）で僅かに減圧された冷媒が第１吸着熱交換器（341）へ送り込まれる。蒸発器から凝縮器に切り換わった第２吸着熱交換器（342）で吸着剤が冷媒によって加熱され、第２吸着熱交換器（342）から水分が脱離してゆく。その間、凝縮器から蒸発器に切り換わった第１吸着熱交換器（341）には、空気中の水蒸気が吸着されてゆく。ただし、前段動作中は冷媒蒸発温度が比較的高く設定されているため、第１吸着熱交換器（341）に吸着される水分の量はそれ程多くならない。前段動作が終了すると、後段動作が開始される。
【０２１８】
後段動作では、圧縮機（340）が停止し、冷媒回路（350）での冷凍サイクルが停止する。また、図３１に示すように、この後段動作中には、第１右上ダンパ（331）及び第１右下ダンパ（333）が開状態となり、第２右上ダンパ（332）、第２右下ダンパ（334）、第１左上ダンパ（335）、第２左上ダンパ（336）、第１左下ダンパ（337）、及び第２左下ダンパ（338）が閉状態となる。また、この後段動作中には、給気ファン（346）が停止し、排気ファン（345）の運転が継続される。
【０２１９】
この後段動作中には、冷媒回路（350）での冷凍サイクルが停止した状態で、第１吸着熱交換器（341）へ室外空気が供給される。上述のように、前段動作中に蒸発器となっていた第１吸着熱交換器（341）は、水分を多少吸着した状態となっている。そこで、後段動作中には、第１吸着熱交換器（341）で吸着剤の冷却が行われない状態で、第１吸着熱交換器（341）へ室外空気を供給する。そして、第１吸着熱交換器（341）に吸着されていた水分は、吸着剤から脱離して室外空気と共に室外へ排出される。
【０２２０】
また、この後段動作中には、第２吸着熱交換器（342）への空気の流入が遮断された状態となる。つまり、前段動作中に凝縮器となっていた第２吸着熱交換器（342）は、既に充分に乾燥した状態になっている。そこで、この第２吸着熱交換器（342）への空気の流入を遮断することで、後段動作中も第２吸着熱交換器（342）を乾燥状態に保持する。
【０２２１】
この後段動作が終了すると、調湿装置では、排気ファン（345）が停止され、第１右上ダンパ（331）及び第１右下ダンパ（333）が閉じられる。つまり、全てのダンパ（331〜334,335〜338）が閉状態となる。そして、調湿装置の停止中も第１吸着熱交換器（341）及び第２吸着熱交換器（342）への空気の流入が遮断され、第１吸着熱交換器（341）及び第２吸着熱交換器（342）が乾燥状態に保持される。
【０２２２】
上述したように、本変形例の乾燥動作中には、乾燥動作の開始前に蒸発器となっていた第２吸着熱交換器（342）の乾燥を前段動作において行い、前段動作中に蒸発器となっていた第１吸着熱交換器（341）の乾燥を後段動作において行っている。従って、この乾燥動作を行うことによっても、両方の吸着熱交換器（341,342）に残存する水分量を削減することが可能である。
【０２２３】
除湿運転又は加湿運転の第２動作中の状態から乾燥動作が開始される場合、前段動作では、それまで蒸発器となっていた第１吸着熱交換器（341）が凝縮器に切り換わり、第１吸着熱交換器（341）の吸着剤から水分が脱離してゆく。また、後段動作では、圧縮機（340）を停止させると共に、前段動作中に蒸発器となっていた第２吸着熱交換器（342）へ室外空気を供給し、第２吸着熱交換器（342）を乾燥させる。
【０２２４】
《発明の実施形態５》
本発明の実施形態５について説明する。本実施形態の調湿装置は、上記実施形態４において冷媒回路（350）の構成を変更したものである。ここでは、本実施形態の調湿装置について、上記実施形態４と異なる点を説明する。
【０２２５】
図３３に示すように、本実施形態の冷媒回路（350）には、補助熱交換器（360）、第１電動膨張弁（361）、及び第２電動膨張弁（362）が追加されている。この冷媒回路（350）では、四方切換弁（351）の第３のポートから第４のポートへ向かって順に、第１吸着熱交換器（341）と第１電動膨張弁（361）と補助熱交換器（360）と第２電動膨張弁（362）と第２吸着熱交換器（342）とが直列に配置されている。
【０２２６】
補助熱交換器（360）は、伝熱管と多数のフィンとで構成されたクロスフィン形のフィン・アンド・チューブ熱交換器である。ただし、補助熱交換器（360）の表面には、吸着熱交換器（341,342）のような吸着剤は担持されていない。この補助熱交換器（360）は、空気と冷媒の熱交換を行う空気熱交換器を構成している。
【０２２７】
図３２に示すように、補助熱交換器（360）は、ケーシング（310）内の排気側流路（325）に立設されている。補助熱交換器（360）において、冷媒回路（350）を循環する冷媒は、排気側流路（325）へ流入して室外へ排出される空気と熱交換する。
【０２２８】
−運転動作−
本実施形態の調湿装置においても、除湿運転と加湿運転とが行われる。
【０２２９】
〈除湿運転〉
除湿運転中における調湿装置の動作を説明する。本実施形態の調湿装置においても、除湿運転中は第１動作と第２動作が交互に繰り返される。
【０２３０】
除湿運転時の第１動作について説明する。この第１動作では、第１吸着熱交換器（341）についての再生動作と、第２吸着熱交換器（342）についての吸着動作とが行われる。
【０２３１】
この第１動作中の冷媒回路（350）では、図３３(Ａ)に示すように、四方切換弁（351）が第１状態に設定され、第１電動膨張弁（361）が全開状態に設定され、第２電動膨張弁（362）の開度が適宜調節される。冷媒回路（350）において、圧縮機（340）から吐出された冷媒は、第１吸着熱交換器（341）で凝縮した後に第１電動膨張弁（361）を通過して補助熱交換器（360）へ流入する。補助熱交換器（360）では、流入した冷媒が更に放熱して過冷却状態となる。補助熱交換器（360）から流出した冷媒は、第２電動膨張弁（362）を通過する際に減圧されてから第２吸着熱交換器（342）で吸熱して蒸発し、その後に圧縮機（340）へ吸入されて圧縮される。このように、第１動作中の冷媒回路（350）では、第１吸着熱交換器（341）が凝縮器となり、第２吸着熱交換器（342）が蒸発器となり、補助熱交換器（360）が過冷却器となる。
【０２３２】
また、この第１動作中において、各ダンパ（331〜338）の状態と空気の流通経路は、上記実施形態４における除湿運転時の第１動作と同様に設定される（図２６を参照）。第１空気として取り込まれた室外空気は、第１吸着熱交換器（341）を通過する間に除湿され、その後に室内へ供給される。第２空気として取り込まれた室内空気は、第２吸着熱交換器（342）から脱離した水分を付与され、続いて補助熱交換器（360）で冷媒から吸熱した後に室外へ排出される。
【０２３３】
除湿運転時の第２動作について説明する。この第２動作では、第１吸着熱交換器（341）についての吸着動作と、第２吸着熱交換器（342）についての再生動作とが行われる。
【０２３４】
この第２動作中の冷媒回路（350）では、図３３(Ｂ)に示すように、四方切換弁（351）が第２状態に設定され、第２電動膨張弁（362）が全開状態に設定され、第１電動膨張弁（361）の開度が適宜調節される。冷媒回路（350）において、圧縮機（340）から吐出された冷媒は、第２吸着熱交換器（342）で凝縮した後に第２電動膨張弁（362）を通過して補助熱交換器（360）へ流入する。補助熱交換器（360）では、流入した冷媒が更に放熱して過冷却状態となる。補助熱交換器（360）から流出した冷媒は、第１電動膨張弁（361）を通過する際に減圧されてから第１吸着熱交換器（341）で吸熱して蒸発し、その後に圧縮機（340）へ吸入されて圧縮される。このように、第２動作中の冷媒回路（350）では、第２吸着熱交換器（342）が凝縮器となり、第１吸着熱交換器（341）が蒸発器となり、補助熱交換器（360）が過冷却器となる。
【０２３５】
また、この第２動作中において、各ダンパ（331〜338）の状態と空気の流通経路は、上記実施形態４における除湿運転時の第２動作と同様に設定される（図２７を参照）。第１空気として取り込まれた室外空気は、第２吸着熱交換器（342）を通過する間に除湿され、その後に室内へ供給される。第２空気として取り込まれた室内空気は、第１吸着熱交換器（341）から脱離した水分を付与され、続いて補助熱交換器（360）で冷媒から吸熱した後に室外へ排出される。
【０２３６】
尚、図３３に白抜きの矢印とハッチングを付した矢印とで示した空気の流れは、後述する加湿運転中のものを表している。従って、同図に示す空気の流れは、ここで説明した除湿運転時の空気の流れと異なっている。
【０２３７】
〈加湿運転〉
加湿運転中における調湿装置の動作を説明する。本実施形態の調湿装置においても、加湿運転中は第１動作と第２動作が交互に繰り返される。
【０２３８】
加湿運転時の第１動作について説明する。この第１動作では、第１吸着熱交換器（341）についての再生動作と、第２吸着熱交換器（342）についての吸着動作とが行われる。
【０２３９】
この第１動作中の冷媒回路（350）では、図３３(Ａ)に示すように、四方切換弁（351）が第１状態に設定され、第２電動膨張弁（362）が全開状態に設定され、第１電動膨張弁（361）の開度が適宜調節される。冷媒回路（350）において、圧縮機（340）から吐出された冷媒は、第１吸着熱交換器（341）で凝縮してから第１電動膨張弁（361）を通過する際に減圧され、その後に補助熱交換器（360）へ流入する。補助熱交換器（360）では、流入した冷媒が吸熱してその一部が蒸発する。補助熱交換器（360）から流出した冷媒は、第２電動膨張弁（362）を通過して第２吸着熱交換器（342）へ流入し、第２吸着熱交換器（342）で吸熱して蒸発した後に圧縮機（340）へ吸入されて圧縮される。このように、第１動作中の冷媒回路（350）では、第１吸着熱交換器（341）が凝縮器となり、第２吸着熱交換器（342）及び補助熱交換器（360）が蒸発器となる。
【０２４０】
また、この第１動作中において、各ダンパ（331〜338）の状態と空気の流通経路は、上記実施形態４における加湿運転時の第１動作と同様に設定される（図２８を参照）。第１空気として取り込まれた室内空気は、第１吸着熱交換器（341）を通過する間に水分を奪われ、続いて補助熱交換器（360）で冷媒へ放熱した後に室外へ排出される。第２空気として取り込まれた室外空気は、第２吸着熱交換器（342）から脱離した水分を付与され、その後に室内へ供給される。
【０２４１】
加湿運転時の第２動作について説明する。この第２動作では、第１吸着熱交換器（341）についての吸着動作と、第２吸着熱交換器（342）についての再生動作とが行われる。
【０２４２】
この第２動作中の冷媒回路（350）では、図３３(Ｂ)に示すように、四方切換弁（351）が第２状態に設定され、第１電動膨張弁（361）が全開状態に設定され、第２電動膨張弁（362）の開度が適宜調節される。冷媒回路（350）において、圧縮機（340）から吐出された冷媒は、第２吸着熱交換器（342）で凝縮してから第２電動膨張弁（362）を通過する際に減圧され、その後に補助熱交換器（360）へ流入する。補助熱交換器（360）では、流入した冷媒が吸熱してその一部が蒸発する。補助熱交換器（360）から流出した冷媒は、第１電動膨張弁（361）を通過して第１吸着熱交換器（341）へ流入し、第１吸着熱交換器（341）で吸熱して蒸発した後に圧縮機（340）へ吸入されて圧縮される。このように、第２動作中の冷媒回路（350）では、第２吸着熱交換器（342）が凝縮器となり、第１吸着熱交換器（341）及び補助熱交換器（360）が蒸発器となる。
【０２４３】
また、この第２動作中において、各ダンパ（331〜338）の状態と空気の流通経路は、上記実施形態４における加湿運転時の第２動作と同様に設定される（図２９を参照）。第１空気として取り込まれた室内空気は、第２吸着熱交換器（342）を通過する間に水分を奪われ、続いて補助熱交換器（360）で冷媒へ放熱した後に室外へ排出される。第２空気として取り込まれた室外空気は、第１吸着熱交換器（341）から脱離した水分を付与され、その後に室内へ供給される。
【０２４４】
−停止する際の動作−
本実施形態の調湿装置における乾燥動作について説明する。この乾燥動作について、除湿運転又は加湿運転の第１動作中の状態から乾燥動作が開始される場合を例に説明する。
【０２４５】
図３４に示すように、この乾燥動作中には、第２右上ダンパ（332）及び第２右下ダンパ（334）が開状態となり、第１右上ダンパ（331）、第１右下ダンパ（333）、第１左上ダンパ（335）、第２左上ダンパ（336）、第１左下ダンパ（337）、及び第２左下ダンパ（338）が閉状態となる。また、この乾燥動作中には、給気ファン（346）が停止される一方、排気ファン（345）の運転が継続される。
【０２４６】
乾燥動作中にケーシング（310）内へ取り込まれた室外空気は、第２吸着熱交換器（342）と補助熱交換器（360）を順に通過し、その後に室外へ排出される。また、この乾燥動作中には、第１吸着熱交換器（341）への空気の流入が遮断された状態となる。
【０２４７】
この乾燥動作では、四方切換弁（351）が第１状態（図３３(Ａ)に示す状態）から第２状態（図３３(Ｂ)，図３５に示す状態）に切り換わり、冷媒回路（350）での冷媒循環方向が反転する。また、冷媒回路（350）では、第１電動膨張弁（361）が全開状態に設定され、第２電動膨張弁（362）の開度が適宜調節される。
【０２４８】
この乾燥動作中の冷媒回路（350）において、圧縮機（340）から吐出された冷媒は、第２吸着熱交換器（342）で放熱して凝縮し、その後に第２電動膨張弁（362）で減圧されてから補助熱交換器（360）で吸熱して蒸発する。補助熱交換器（360）で蒸発した冷媒は、第１電動膨張弁（361）と第１吸着熱交換器（341）を順に通過してから圧縮機（340）へ吸入されて圧縮される。
【０２４９】
蒸発器から凝縮器に切り換わった第２吸着熱交換器（342）では、吸着剤が冷媒によって加熱され、第２吸着熱交換器（342）から水分が脱離してゆく。第２吸着熱交換器（342）から脱離した水分は、この第２吸着熱交換器（342）を通過した空気と共に室外へ排出されてゆく。この状態を暫く続けると、第２吸着熱交換器（342）に残存する水分量が減少してゆく。
【０２５０】
その間、第１動作中に凝縮器となっていた第１吸着熱交換器（341）へは、補助熱交換器（360）を通過した冷媒が流入している。ここで、補助熱交換器（360）では、第２吸着熱交換器（342）を通過した空気が冷媒と熱交換している。このため、補助熱交換器（360）での冷媒蒸発温度は比較的高くなり、それに伴って第２吸着熱交換器（342）における冷媒蒸発温度も比較的高くなる。更に、乾燥動作中において、第１吸着熱交換器（341）は、空気が通過しない状態となっている。従って、第１動作中に凝縮器となっていて既に乾燥状態にある第１吸着熱交換器（341）は、この乾燥動作中も乾燥した状態に保たれる。
【０２５１】
この乾燥動作が終了すると、調湿装置では、排気ファン（345）が停止され、第２右上ダンパ（332）及び第２右下ダンパ（334）が閉じられる。つまり、全てのダンパ（331〜334,335〜338）が閉状態となる。そして、調湿装置の停止中も第１吸着熱交換器（341）及び第２吸着熱交換器（342）への空気の流入が遮断され、第１吸着熱交換器（341）及び第２吸着熱交換器（342）が乾燥状態に保持される。
【０２５２】
上述したように、本実施形態の乾燥動作中には、乾燥動作の開始前に蒸発器となっていた第２吸着熱交換器（342）の乾燥を行う一方、乾燥動作の開始前に凝縮器となっていて乾燥状態にある第１吸着熱交換器（341）が乾燥状態に保持される。従って、この乾燥動作を行うことによって、両方の吸着熱交換器（341,342）に残存する水分量を削減することが可能となる。
【０２５３】
除湿運転又は加湿運転の第２動作中の状態から乾燥動作が開始される場合には、それまで蒸発器となっていた第１吸着熱交換器（341）が凝縮器に切り換わると共に、補助熱交換器（360）が蒸発器となる。この状態において、第１吸着熱交換器（341）では、吸着剤から水分が脱離してゆく。また、それまで凝縮器となっていた第２吸着熱交換器（342）へは、補助熱交換器（360）を通過した冷媒が流入することになる。しかしながら、第２吸着熱交換器（342）への空気の流入は遮断されており、しかも補助熱交換器（360）や第２吸着熱交換器（342）では冷媒蒸発温度が比較的高くなっているため、第２吸着熱交換器（342）は乾燥状態に保たれる。
【０２５４】
−実施形態５の変形例−
本実施形態の調湿装置では、乾燥動作中にケーシング（310）内へ室内空気を取り込むようにしてもよい。この乾燥動作について、除湿運転又は加湿運転の第１動作中の状態から乾燥動作が開始される場合を例に説明する。
【０２５５】
図３６に示すように、この乾燥動作中には、第２右上ダンパ（332）及び第２左下ダンパ（338）が開状態となり、第１右上ダンパ（331）、第１右下ダンパ（333）、第２右下ダンパ（334）、第１左上ダンパ（335）、第２左上ダンパ（336）、及び第１左下ダンパ（337）が閉状態となる。また、この乾燥動作中には、給気ファン（346）が停止される一方、排気ファン（345）の運転が継続される。
【０２５６】
乾燥動作中にケーシング（310）内へ取り込まれた室内空気は、第２吸着熱交換器（342）と補助熱交換器（360）を順に通過し、その後に室外へ排出される。また、この乾燥動作中には、第１吸着熱交換器（341）への空気の流入が遮断された状態となる。尚、この乾燥動作中における冷媒回路（350）の動作は、ケーシング（310）内へ室外空気を取り込む乾燥動作の場合と同様である。
【０２５７】
《その他の実施形態》
上記実施形態１及び２では、調湿装置が室内の除湿や加湿と共に室内の換気を行うように構成されているが、この調湿装置は、次のような構成のものであってもよい。つまり、これら実施形態１及び２の調湿装置は、室内空気を取り込んで除湿し又は加湿した後に室内へ送り返すように構成されていてもよい。また、この調湿装置は、室内からの排気は行わずに、取り込んだ室外空気を調湿後に室内へ供給する動作だけを行うように構成されていてもよい。また、この調湿装置は、取り込んだ室内空気を調湿後に室内へ送り返すと同時に、取り込んだ別の室内空気を室外へ排出するように構成されていてもよい。
【産業上の利用可能性】
【０２５８】
以上説明したように、本発明は、調湿下空気を室内へ供給する調湿装置について有用である。
【図面の簡単な説明】
【０２５９】
【図１】実施形態１における調湿装置の概略斜視図である。
【図２】実施形態１における除湿運転の第１動作を示す調湿装置の概略構成図である。
【図３】実施形態１における除湿運転の第２動作を示す調湿装置の概略構成図である。
【図４】実施形態１における加湿運転の第１動作を示す調湿装置の概略構成図である。
【図５】実施形態１における加湿運転の第２動作を示す調湿装置の概略構成図である。
【図６】実施形態１における吸着素子の概略斜視図である。
【図７】実施形態１における乾燥動作を示す調湿装置の概略斜視図である。
【図８】実施形態１における乾燥動作を示す調湿装置の概略斜視図である。
【図９】実施形態１における停止中の各ダンパの状態を示す調湿装置の概略斜視図である。
【図１０】実施形態１の変形例における予備動作を示す調湿装置の概略斜視図である。
【図１１】実施形態１の変形例における予備動作を示す調湿装置の概略斜視図である。
【図１２】実施形態１の変形例における調湿装置の概略構成図である。
【図１３】湿度減少率とカビの生育阻止に必要な乾燥時間との関係を示す関係図である。
【図１４】実施形態２における調湿装置の概略構成図である。
【図１５】実施形態２の変形例１におけるコントローラの構成を示すブロック図である。
【図１６】実施形態２の変形例２における調湿装置の概略構成図である。
【図１７】実施形態３における調湿装置の概略構成図である。
【図１８】実施形態３の変形例１における調湿装置の概略構成図である。
【図１９】実施形態３の変形例１における調湿装置の概略構成図である。
【図２０】実施形態３の変形例１における調湿装置の概略構成図である。
【図２１】実施形態３の変形例２における調湿装置の概略構成図である。
【図２２】実施形態３の変形例２における調湿装置の概略構成図である。
【図２３】実施形態３の変形例２における調湿装置の概略構成図である。
【図２４】実施形態４における調湿装置の概略構成図である。
【図２５】実施形態４における冷媒回路の概略構成と動作を示す冷媒回路図である。
【図２６】実施形態４における除湿運転の第１動作を示す調湿装置の概略構成図である。
【図２７】実施形態４における除湿運転の第２動作を示す調湿装置の概略構成図である。
【図２８】実施形態４における加湿運転の第１動作を示す調湿装置の概略構成図である。
【図２９】実施形態４における加湿運転の第２動作を示す調湿装置の概略構成図である。
【図３０】実施形態４における乾燥動作を示す調湿装置の概略構成図である。
【図３１】実施形態４の変形例における乾燥動作の後段動作を示す調湿装置の概略構成図である。
【図３２】実施形態５における調湿装置の概略構成図である。
【図３３】実施形態５における冷媒回路の概略構成と動作を示す冷媒回路図である。
【図３４】実施形態５における乾燥動作を示す調湿装置の概略構成図である。
【図３５】実施形態５における乾燥動作を示す冷媒回路図である。
【図３６】実施形態５の変形例における乾燥動作を示す調湿装置の概略構成図である。
【符号の説明】
【０２６０】
（10）  ケーシング
（21）  第１右側ダンパ（遮断機構）
（22）  第２右側ダンパ（遮断機構）
（23）  第１右上ダンパ（遮断機構）
（24）  第１右下ダンパ（遮断機構）
（25）  第２右上ダンパ（遮断機構）
（26）  第２右下ダンパ（遮断機構）
（31）  第１左側ダンパ（遮断機構）
（32）  第２左側ダンパ（遮断機構）
（33）  第１左上ダンパ（遮断機構）
（34）  第１左下ダンパ（遮断機構）
（35）  第２左上ダンパ（遮断機構）
（36）  第２左下ダンパ（遮断機構）
（65）  右上部流路（室外側の空気流路）
（66）  右下部流路（室外側の空気流路）
（67）  左上部流路（室内側の空気流路）
（68）  左下部流路（室内側の空気流路）
（81）  第１吸着素子（調湿用部材）
（82）  第２吸着素子（調湿用部材）
（91）  第１湿度センサ（湿度検出手段）
（92）  第２湿度センサ（湿度検出手段）
（96）  乾燥時間調節部（制御手段）
（110） ケーシング
（115） 排気側流路（空気流路）
（116） 給気側流路（空気流路）
（120） 吸着素子（調湿用部材）
（121） 第１熱交換器（加熱器）
（122） 第２熱交換器（加熱器）
（131） タイマー部（タイマー手段）
（132） 乾燥動作制御部（制御手段）
（141） 第１ダンパ（遮断機構）
（142） 第２ダンパ（遮断機構）
（143） 第３ダンパ（遮断機構）
（144） 第４ダンパ（遮断機構）
（210） ケーシング
（215） 第１排気側流路（室内側の空気流路）
（216） 第２排気側流路（室外側の空気流路）
（217） 第１給気側流路（室外側の空気流路）
（218） 第２給気側流路（室内側の空気流路）
（220） 全熱交換器（調湿用部材）
（221） 加湿エレメント（調湿用部材）
（231） 第１ダンパ（遮断機構）
（232） 第２ダンパ（遮断機構）
（233） 第３ダンパ（遮断機構）
（234） 第４ダンパ（遮断機構）
（350） 冷媒回路
（341） 第１吸着熱交換器（調湿用部材）
（342） 第２吸着熱交換器（調湿用部材）
（360） 補助熱交換器（空気熱交換器）
【図１】
2005188915.tif 000003
【図２】
2005188915.tif 000004
【図３】
2005188915.tif 000005
【図４】
2005188915.tif 000006
【図５】
2005188915.tif 000007
【図６】
2005188915.tif 000008
【図７】
2005188915.tif 000009
【図８】
2005188915.tif 000010
【図９】
2005188915.tif 000011
【図１０】
2005188915.tif 000012
【図１１】
2005188915.tif 000013
【図１２】
2005188915.tif 000014
【図１３】
2005188915.tif 000015
【図１４】
2005188915.tif 000016
【図１５】
2005188915.tif 000017
【図１６】
2005188915.tif 000018
【図１７】
2005188915.tif 000019
【図１８】
2005188915.tif 000020
【図１９】
2005188915.tif 000021
【図２０】
2005188915.tif 000022
【図２１】
2005188915.tif 000023
【図２２】
2005188915.tif 000024
【図２３】
2005188915.tif 000025
【図２４】
2005188915.tif 000026
【図２５】
2005188915.tif 000027
【図２６】
2005188915.tif 000028
【図２７】
2005188915.tif 000029
【図２８】
2005188915.tif 000030
【図２９】
2005188915.tif 000031
【図３０】
2005188915.tif 000032
【図３１】
2005188915.tif 000033
【図３２】
2005188915.tif 000034
【図３３】
2005188915.tif 000035
【図３４】
2005188915.tif 000036
【図３５】
2005188915.tif 000037
【図３６】
2005188915.tif 000038